(57)【要約】【課題】ユーザの快適性が損なわれないように空調機を制御することが可能な空調制御装置の提供。【解決手段】空調制御装置６０は、外気温度値および外気絶対湿度値を特定する特定部と、ユーザの設定から決定される目標温湿度範囲内に室内空間の環境が導かれるように、外調機３０及び空調機２０の自動制御を行う空調制御部と、を備えている。空調制御部は、自動制御において、特定部によって特定される外気温度値及び外気絶対湿度値のみに基づいて、外調機３０及び空調機２０の制御内容を決定する。【選択図】図１
2012083086.tif 000002
【特許請求の範囲】
【請求項１】
外気を取り入れる換気が行われる室内空間の環境を、温度調整部（２５，２９）と湿度調整部（３９）とを有する空調機を制御することで調整する空調制御装置であって、
現在の外気温度を特定する外気温度特定部（６６）と、
現在の外気絶対湿度を特定する外気湿度特定部（６６）と、
ユーザの設定から決定される目標温湿度範囲（ＡＲ５）内に前記室内空間の環境が導かれるように、前記空調機の自動制御を行う制御部（６３）と、
を備え、
前記制御部は、前記自動制御において、
前記外気温度特定部によって特定される外気温度値及び前記外気湿度特定部によって特定される外気絶対湿度値のみに基づいて、前記空調機の制御内容を決定する、
空調制御装置（６０）。
【請求項２】
前記制御部は、前記自動制御において、
前記外気温度値と前記外気絶対湿度値とが、前記目標温湿度範囲内にあるか否かを把握し、
前記外気温度値及び前記外気絶対湿度値の少なくともいずれか一方が前記目標温湿度範囲内にないときは、前記外気温度値及び前記外気絶対湿度値に基づいて温度目標値及び絶対湿度目標値の少なくともいずれか一方を決定する、
請求項１に記載の空調制御装置。
【請求項３】
前記目標温湿度範囲では、各温度値に対する湿度の上限値及び下限値が決まっており、
前記制御部は、前記自動制御において、
前記外気温度値が前記目標温湿度範囲の温度の下限値から上限値の間にあり、かつ、前記外気絶対湿度値が前記目標温湿度範囲の湿度の上限値よりも大きいとき或いは前記外気絶対湿度値が前記目標温湿度範囲の湿度の下限値よりも小さいときは、前記絶対湿度目標値を、前記外気温度値に対する前記目標温湿度範囲の湿度の上限値或いは下限値のうち前記外気絶対湿度値に近い方の値に決定し、
決定した前記絶対湿度目標値に前記室内空間の環境が導かれるように、前記温度調整部及び前記湿度調整部の制御内容を決定する、
請求項２に記載の空調制御装置。
【請求項４】
前記目標温湿度範囲では、各温度値に対する湿度の上限値及び下限値が決まっており、
前記制御部は、前記自動制御において、
前記外気温度値が前記目標温湿度範囲の温度の下限値から上限値の間になく、かつ、前記外気絶対湿度値が前記目標温湿度範囲の温度の下限値又は上限値に対する湿度の上限値よりも大きいとき或いは前記外気絶対湿度値が前記目標温湿度範囲の温度の下限値又は上限値に対する湿度の下限値よりも小さいときは、前記外気温度値に基づいて前記温度目標値を決定し、かつ、前記外気絶対湿度値に基づいて前記絶対湿度目標値を決定し、
決定した前記温度目標値及び前記絶対湿度目標値に前記室内空間の環境が導かれるように、前記温度調整部及び前記湿度調整部の制御内容を決定する、
請求項２又は３に記載の空調制御装置。
【請求項５】
前記制御部は、前記自動制御において、
前記外気温度値が前記目標温湿度範囲の温度の下限値から上限値の間になく、かつ、前記外気絶対湿度値が前記目標温湿度範囲の温度の下限値又は上限値に対する湿度の上限値よりも大きいとき或いは前記外気絶対湿度値が前記目標温湿度範囲の温度の下限値又は上限値に対する湿度の下限値よりも小さいときは、
前記温度目標値を、前記目標温湿度範囲の温度の上限値或いは下限値のうち前記外気温度値に近い方の値に決定し、
前記絶対湿度目標値を、決定した前記温度目標値に対する前記目標温湿度範囲の湿度の上限値或いは下限値のうち前記外気絶対湿度値に近い方の値に決定する、
請求項４に記載の空調制御装置。
【請求項６】
前記目標温湿度範囲では、各温度値に対する湿度の上限値及び下限値が決まっており、
前記制御部は、前記自動制御において、
前記外気温度値が前記目標温湿度範囲の温度の下限値から上限値の間になく、かつ、前記外気絶対湿度値が前記目標温湿度範囲の温度の下限値に対する湿度の下限値から上限値の間にあるとき或いは前記外気絶対湿度値が前記目標温湿度範囲の温度の上限値に対する湿度の下限値から上限値の間にあるときは、前記温度目標値を、前記目標温湿度範囲の温度の上限値或いは下限値のうち前記外気温度値に近い方の値に決定し、
決定した前記温度目標値に前記室内空間の環境が導かれるように、前記温度調整部及び前記湿度調整部の制御内容を決定する、
請求項２から５のいずれか１項に記載の空調制御装置。
【請求項７】
前記目標温湿度範囲では、各温度値に対する湿度の上限値が決まっており、
前記空調機は、前記湿度調整部を有する第１空調機（３０）と、前記温度調整部を有しており前記第１空調機とは別の第２空調機（２０）と、含み、
前記第１空調機は、前記室内空間の換気を行う換気部（３９）を更に有し、
前記制御部は、前記自動制御において、
前記外気絶対湿度値が、前記目標温湿度範囲の湿度の上限値よりも大きいときは、前記室内空間の除湿及び換気が行われるように、前記第１空調機を制御する、
請求項１から６のいずれか１項に記載の空調制御装置。
【請求項８】
前記目標温湿度範囲では、各温度値に対する湿度の下限値が決まっており、
前記制御部は、前記自動制御において、
前記外気絶対湿度値が、前記目標温湿度範囲の湿度の下限値よりも小さいときは、前記室内空間の加湿及び換気が行われるように、前記第１空調機を制御する、
請求項７に記載の空調制御装置。
【請求項９】
外気を取り入れる換気が行われる室内空間の環境を、温度調整部（２５，２９）と湿度調整部（３９）とを有する空調機を制御することで調整する空調制御装置であって、
現在の外気温度を特定する外気温度特定部（１６６）と、
前記室内空間の現在の空気の温度である内気温度を特定する内気温度特定部（１６６）と、
現在の外気絶対湿度を特定する外気湿度特定部（１６６）と、
前記室内空間の現在の空気の絶対湿度である内気絶対湿度を特定する内気湿度特定部（１６６）と、
ユーザの設定から決定される目標温湿度範囲（ＡＲ５）内に前記室内空間の環境が導かれるように、前記空調機の自動制御を行う制御部（１６３）と、
を備え、
前記制御部は、前記自動制御において、
前記内気温度特定部によって特定される内気温度値と前記内気湿度特定部によって特定される内気絶対湿度値とが、前記目標温湿度範囲内にあるか否かを把握し、
前記内気温度値及び前記内気絶対湿度値のいずれか一方が前記目標温湿度範囲内にないときは、前記外気温度特定部によって特定される外気温度値又は前記外気湿度特定部によって特定される外気絶対湿度値に基づいて、前記空調機の制御内容を決定する、
空調制御装置（６０）。
【請求項１０】
前記目標温湿度範囲では、各温度値に対する湿度の上限値及び下限値が決まっており、
前記制御部は、前記自動制御において、
前記内気温度値が前記目標温湿度範囲の温度の下限値から上限値の間になく、かつ、前記内気絶対湿度値が前記目標温湿度範囲の温度の下限値に対する湿度の下限値から上限値の間にあるとき或いは前記内気絶対湿度値が前記目標温湿度範囲の温度の上限値に対する湿度の下限値から上限値の間にあるときは、前記内気絶対湿度値が維持されるように、前記外気絶対湿度値及び前記内気絶対湿度値に基づいて前記湿度調整部の制御内容を決定する、
請求項９に記載の空調制御装置。
【請求項１１】
前記目標温湿度範囲では、各温度値に対する湿度の上限値及び下限値が決まっており、
前記制御部は、前記自動制御において、
前記内気温度値が前記目標温湿度範囲の温度の下限値から上限値の間にあり、かつ、前記内気絶対湿度値が前記目標温湿度範囲の湿度の上限値よりも大きいとき或いは前記内気絶対湿度値が前記目標温湿度範囲の湿度の下限値よりも小さいときは、前記内気温度値が維持されるように、前記外気温度値及び前記内気温度値に基づいて前記温度調整部の制御内容を決定する、
請求項９又は１０に記載の空調制御装置。
【請求項１２】
前記目標温湿度範囲では、各温度値に対する湿度の上限値及び下限値が決まっており、
前記制御部は、前記自動制御において、
前記内気温度値が前記目標温湿度範囲の温度の下限値から上限値の間にあり、かつ、前記内気絶対湿度値が前記目標温湿度範囲の湿度の上限値よりも大きいとき或いは前記内気絶対湿度値が前記目標温湿度範囲の湿度の下限値よりも小さいときは、絶対湿度目標値を、前記内気温度値に対する前記目標温湿度範囲の湿度の上限値或いは下限値のうち前記内気絶対湿度値に近い方の値に決定し、
決定した前記絶対湿度目標値に前記室内空間の環境が導かれるように、前記湿度調整部の制御内容を決定する、
請求項９から１１のいずれか１項に記載の空調制御装置。
【請求項１３】
前記目標温湿度範囲では、各温度値に対する湿度の上限値が決まっており、
前記空調機は、前記湿度調整部を有する第１空調機（３０）と、前記温度調整部を有しており前記第１空調機とは別の第２空調機（２０）と、含み、
前記第１空調機は、前記室内空間の換気を行う換気部（３９）を更に有し、
前記制御部は、前記自動制御において、
前記内気絶対湿度値が、前記目標温湿度範囲の湿度の上限値よりも大きいときは、前記室内空間の除湿及び換気が行われるように、前記第１空調機を制御する、
請求項９から１２のいずれか１項に記載の空調制御装置。
【請求項１４】
前記目標温湿度範囲では、各温度値に対する湿度の下限値が決まっており、
前記制御部は、前記自動制御において、
前記内気絶対湿度値が、前記目標温湿度範囲の湿度の下限値よりも小さいときは、前記室内空間の加湿及び換気が行われるように、前記第１空調機を制御する、
請求項１３に記載の空調制御装置。
【請求項１５】
前記目標温湿度範囲では、各温度値に対する湿度の上限値及び下限値が決まっており、
前記制御部は、前記自動制御において、
前記内気温度値が前記目標温湿度範囲の温度の下限値から上限値の間になく、かつ、前記内気絶対湿度値が前記目標温湿度範囲の温度の下限値に対する湿度の上限値よりも大きいとき或いは前記内気絶対湿度値が前記目標温湿度範囲の温度の上限値に対する湿度の下限値よりも小さいときは、前記外気絶対湿度値に基づいて、前記湿度調整部の制御内容を決定する、
請求項９又は１０に記載の空調制御装置。
【請求項１６】
前記制御部は、前記自動制御を所定時間毎に行う、
請求項１から１５のいずれか１項に記載の空調制御装置。
【発明の詳細な説明】
【技術分野】
【０００１】
本発明は、ビル等の屋内の空調制御を行う空調制御装置に関する。
【背景技術】
【０００２】
一般的に、ビル等の建物においては、建物内の室内空間の空気を建物外部へ排出し、建物外部の空気（外気）を建物内に取り入れる換気が行われる。例えば、特許文献１（特開２００５−４９０５９号公報）に開示されている空気調和システムでは、ビルの機械室に設置されている外気供給ユニットによって、室内空間の換気が行われている。また、この外気供給ユニットは、外気の絶対湿度が室内空間の絶対湿度よりも低くなるように潜熱処理を行った後の外気を、室内空間に供給するように制御されている。
【発明の概要】
【発明が解決しようとする課題】
【０００３】
ところで、外気を取り入れる換気が行われる室内空間の環境が、所定の温度範囲及び所定の相対湿度範囲によって決定される所定の温湿度範囲に入るように、室内空間の温度及び湿度を調整可能な空調機を制御することが考えられる。そして、このような空調機の制御方法としては、温度調整可能な空調機については、室内空間の空気の温度が所定の温湿度範囲の温度の上限値よりも高い場合には冷房運転を行い、室内空間の空気の温度が所定の温湿度範囲の温度の下限値よりも低い場合には暖房運転を行い、室内空間の空気の温度が所定の温湿度範囲の温度の上限値から下限値の間にある場合には送風運転を行うことが考えられる。また、湿度調整可能な空調機については、室内空間の空気の湿度が所定の温湿度範囲の温度の上限値における絶対湿度換算値の最大値よりも高い場合には除湿換気運転を行い、室内空間の空気の湿度が所定の温湿度範囲の温度の下限値における絶対湿度換算値の最小値よりも低い場合には加湿換気運転を行い、室内空間の空気の湿度が所定の温湿度範囲の温度の上限値における絶対湿度換算値の最大値又は所定の温湿度範囲の温度の下限値における絶対湿度換算値の最小値に到達した場合には換気運転を行うことが考えられる。しかしながら、建物外の環境や室内空間の環境によっては、室内空間の環境を所定の温湿度範囲内に導くことができないことがあり、室内空間に居るユーザに不快感を与えるおそれがある。
【０００４】
そこで、本発明の課題は、ユーザの快適性が損なわれないように空調機を制御することが可能な空調制御装置を提供することにある。
【課題を解決するための手段】
【０００５】
本発明の第１観点に係る空調制御装置は、外気を取り入れる換気が行われる室内空間の環境を、温度調整部と湿度調整部とを有する空調機を制御することで調整する空調制御装置であって、外気温度特定部と、外気湿度特定部と、制御部と、を備えている。外気温度特定部は、現在の外気温度を特定する。外気湿度特定部は、現在の外気絶対湿度を特定する。制御部は、ユーザの設定から決定される目標温湿度範囲内に室内空間の環境が導かれるように、空調機の自動制御を行う。また、制御部は、自動制御において、外気温度特定部によって特定される外気温度値及び外気湿度特定部によって特定される外気絶対湿度値のみに基づいて、空調機の制御内容を決定する。
【０００６】
本発明の第１観点に係る空調制御装置では、外気温度値及び外気絶対湿度値のみに基づいて、空調機の制御内容が決定される。この結果、換気によって室内空間に取り入れられる外気の温度や湿度の環境に応じた制御を行うことができる。したがって、外気の温度及び湿度に基づいて空調機の制御内容が決定されることで、換気によって室内空間に外気が取り入れられても、室内空間の環境を目標温湿度範囲内に導きやすくすることができる。
【０００７】
これによって、ユーザの快適性が損なわれないように空調機を制御することができる。
【０００８】
本発明の第２観点に係る空調制御装置は、第１観点の空調制御装置において、制御部は、自動制御において、外気温度値と外気絶対湿度値とが、目標温湿度範囲内にあるか否かを把握する。そして、制御部は、外気温度値及び外気絶対湿度値の少なくともいずれか一方が目標温湿度範囲内にないときは、外気温度値及び外気絶対湿度値に基づいて、温度目標値及び絶対湿度目標値の少なくともいずれか一方を決定する。この空調制御装置では、外気温度値及び外気絶対湿度値が、目標温湿度範囲という所定の温湿度範囲内にあるか否かを把握することができる。
【０００９】
本発明の第３観点に係る空調制御装置は、第２観点の空調制御装置において、目標温湿度範囲では、各温度値に対する湿度の上限値及び下限値が決まっている。また、制御部は、自動制御において、外気温度値が目標温湿度範囲の温度の下限値から上限値の間にあり、かつ、外気絶対湿度値が目標温湿度範囲の湿度の上限値よりも大きいとき、或いは、外気絶対湿度値が目標温湿度範囲の湿度の下限値よりも小さいときは、絶対湿度目標値を、外気温度値に対する目標温湿度範囲の湿度の上限値或いは下限値のうち外気絶対湿度値に近い方の値に決定する。そして、制御部は、決定した絶対湿度目標値に室内空間の環境が導かれるように、温度調整部及び湿度調整部の制御内容を決定する。
【００１０】
本発明の第３観点に係る空調制御装置では、外気温度値が目標温湿度範囲の温度の下限値から上限値の間にあり、外気絶対湿度値が目標温湿度範囲の湿度の上限値よりも大きい場合、又は、外気温度値が目標温湿度範囲の温度の下限値から上限値の間にあり、外気絶対湿度値が目標温湿度範囲の湿度の下限値よりも小さい場合は、絶対湿度目標値が、外気温度値に対する目標温湿度範囲の湿度の上限値或いは下限値のうち外気絶対湿度値に近い値に決定されている。このため、例えば、絶対湿度目標値が、外気温度値又は外気絶対湿度値に関係なく決定される場合と比較して、省エネルギーを実現し、かつ、室内空間の環境を目標温湿度範囲内に導きやすくすることができる。
【００１１】
本発明の第４観点に係る空調制御装置は、第２観点又は第３観点の空調制御装置において、目標温湿度範囲では、各温度値に対する湿度の上限値及び下限値が決まっている。また、制御部は、自動制御において、外気温度値が目標温湿度範囲の温度の下限値から上限値の間になく、かつ、外気絶対湿度値が目標温湿度範囲の温度の下限値又は上限値に対する湿度の上限値よりも大きいとき、或いは、外気絶対湿度値が目標温湿度範囲の温度の下限値又は上限値に対する湿度の下限値よりも小さいときは、外気温度値に基づいて温度目標値を決定し、かつ、外気絶対湿度値に基づいて絶対湿度目標値を決定する。そして、制御部は、決定した温度目標値及び絶対湿度目標値に室内空間の環境が導かれるように、温度調整部及び湿度調整部の制御内容を決定する。
【００１２】
本発明の第４観点に係る空調制御装置では、外気温度値が目標温湿度範囲の温度の下限値から上限値の間になく、外気絶対湿度値が目標温湿度範囲の温度の下限値に対する湿度の上限値よりも大きい場合、外気温度値が目標温湿度範囲の温度の下限値から上限値の間になく、外気絶対湿度値が目標温湿度範囲の温度の上限値に対する湿度の上限値よりも大きい場合、外気温度値が目標温湿度範囲の温度の下限値から上限値の間になく、外気絶対湿度値が目標温湿度範囲の温度の下限値に対する湿度の下限値よりも小さい場合、又は、外気温度値が目標温湿度範囲の温度の下限値から上限値の間になく、外気絶対湿度値が目標温湿度範囲の温度の上限値に対する湿度の下限値よりも小さい場合は、外気温度値に基づいて温度目標値が決定され、かつ、外気絶対湿度値に基づいて絶対湿度目標値が決定されている。この空調制御装置では、外気温度値及び外気湿度値に基づいて温度目標値及び絶対湿度目標値が決定されるため、換気によって室内空間に外気が取り入れられても、室内空間の環境を目標温湿度範囲内に導きやすくすることができる。
【００１３】
本発明の第５観点に係る空調制御装置は、第４観点の空調制御装置において、制御部は、自動制御において、外気温度値が目標温湿度範囲の温度の下限値から上限値の間になく、かつ、外気絶対湿度値が目標温湿度範囲の温度の下限値又は上限値に対する湿度の上限値よりも大きいとき、或いは、外気絶対湿度値が目標温湿度範囲の温度の下限値又は上限値に対する湿度の下限値よりも小さいときは、温度目標値を、目標温湿度範囲の温度の上限値或いは下限値のうち外気温度値に近い方の値に決定する。また、制御部は、自動制御において、外気温度値が目標温湿度範囲の温度の下限値から上限値の間になく、かつ、外気絶対湿度値が目標温湿度範囲の温度の下限値又は上限値に対する湿度の上限値よりも大きいとき、或いは、外気絶対湿度値が目標温湿度範囲の温度の下限値又は上限値に対する湿度の下限値よりも小さいときは、絶対湿度目標値を、決定した温度目標値に対する目標温湿度範囲の湿度の上限値或いは下限値のうち外気絶対湿度値に近い方の値に決定する。
【００１４】
本発明の第５観点に係る空調制御装置では、外気温度値が目標温湿度範囲の温度の下限値から上限値の間になく、外気絶対湿度値が目標温湿度範囲の温度の下限値に対する湿度の上限値よりも大きい場合、外気温度値が目標温湿度範囲の温度の下限値から上限値の間になく、外気絶対湿度値が目標温湿度範囲の温度の上限値に対する湿度の上限値よりも大きい場合、外気温度値が目標温湿度範囲の温度の下限値から上限値の間になく、外気絶対湿度値が目標温湿度範囲の温度の下限値に対する湿度の下限値よりも小さい場合、又は、外気温度値が目標温湿度範囲の温度の下限値から上限値の間になく、外気絶対湿度値が目標温湿度範囲の温度の上限値に対する湿度の下限値よりも小さい場合は、温度目標値が、目標温湿度範囲の温度の上限値或いは下限値のうち外気温度値に近い方の値に決定され、絶対湿度目標値が、決定された温度目標値に対する目標温湿度範囲の湿度の上限値或いは下限値のうち外気絶対湿度値に近い方の値に決定される。このため、例えば、温度目標値や絶対湿度目標値が、外気温度値又は外気絶対湿度値に関係なく決定される場合と比較して、省エネルギーを実現し、かつ、室内空間の環境を目標温湿度範囲内に導きやすくすることができる。
【００１５】
本発明の第６観点に係る空調制御装置は、第２観点から第５観点のいずれかの空調制御装置において、目標温湿度範囲では、各温度値に対する湿度の上限値及び下限値が決まっている。また、制御部は、自動制御において、外気温度値が目標温湿度範囲の温度の下限値から上限値の間になく、かつ、外気絶対湿度値が目標温湿度範囲の温度の下限値に対する湿度の下限値から上限値の間にあるとき、或いは、外気絶対湿度が目標温湿度範囲の温度の上限値に対する湿度の下限値から上限値の間にあるときは、温度目標値を、目標温湿度範囲の温度の上限値或いは下限値のうち外気温度値に近い方の値に決定する。そして、制御部は、決定した温度目標値に室内空間の環境が導かれるように、温度調整部及び湿度調整部の制御内容を決定する。
【００１６】
本発明の第６観点に係る空調制御装置では、外気温度値が目標温湿度範囲の温度の下限値から上限値の間になく、外気絶対湿度値が目標温湿度範囲の温度の下限値に対する湿度の下限値から上限値の間にある場合、又は、外気温度値が目標温湿度範囲の温度の下限値から上限値の間になく、外気絶対湿度が目標温湿度範囲の温度の上限値に対する湿度の下限値から上限値の間にある場合には、温度目標値が、目標温湿度範囲の温度の上限値或いは下限値のうち外気温度値に近い方の値に決定される。このため、例えば、温度目標値が、外気温度値又は外気絶対湿度値に関係なく決定される場合と比較して、省エネルギーを実現し、かつ、室内空間の環境を目標温湿度範囲内に導きやすくすることができる。
【００１７】
本発明の第７観点に係る空調制御装置は、第１観点から第６観点のいずれかの空調制御装置において、目標温湿度範囲では、各温度値に対する湿度の上限値が決まっている。また、空調機は、第１空調機と第２空調機とを含む。第１空調機は、湿度調整部を有する。第２空調機は、温度調整部を有する。また、第１空調機は、室内空間の換気を行う換気部を更に有する。さらに、制御部は、自動制御において、外気絶対湿度値が、目標温湿度範囲内の湿度の上限値よりも大きいときは、室内空間の除湿及び換気が行われるように、第１空調機を制御する。
【００１８】
本発明の第７観点に係る空調制御装置では、第１空調機は、湿度調整部と換気部とを有している。このため、例えば、室内空間を換気する換気機能を有する空調機を更に設置しなくても、第１空調機を設置することで室内空間の湿度調整と換気とを行うことができる。また、この空気調和機では、外気絶対湿度値が目標温湿度範囲内の湿度の上限値よりも大きいときは、室内空間の除湿及び換気が行われるため、室内空間の環境を目標温湿度範囲内に導きやすくすることができる。
【００１９】
本発明の第８観点に係る空調制御装置は、第７観点の空調制御装置において、目標温湿度範囲では、各温度値に対する湿度の下限値が決まっている。また、制御部は、自動制御において、外気絶対湿度値が、目標温湿度範囲の湿度の下限値よりも小さいときは、室内空間の加湿及び換気が行われるように、第１空調機を制御する。このため、この空調制御装置では、室内空間の環境を目標温湿度範囲内に導きやすくすることができる。
【００２０】
本発明の第９観点に係る空調制御装置は、外気を取り入れる換気が行われる室内空間の環境を、温度調整部と湿度調整部とを有する空調機を制御することで調整する空調制御装置であって、外気温度特定部と、内気温度特定部と、外気湿度特定部と、内気湿度特定部と、制御部と、を備えている。外気温度特定部は、現在の外気温度を特定する。内気温度特定部は、室内空間の現在の空気の温度である内気温度を特定する。外気湿度特定部は、現在の外気絶対湿度を特定する。内気湿度特定部は、室内空間の現在の空気の絶対湿度である内気絶対湿度を特定する。制御部は、ユーザの設定から決定される目標温湿度範囲内に室内空間の環境が導かれるように、空調機の自動制御を行う。また、制御部は、自動制御において、内気温度特定部によって特定される内気温度値と、内気湿度特定部によって特定される内気絶対湿度値とが、目標温湿度範囲内にあるか否かを把握する。そして、制御部は、内気温度値及び内気絶対湿度値のいずれか一方が目標温湿度範囲内にないときは、外気温度特定部によって特定される外気温度値又は外気湿度特定部によって特定される外気絶対湿度値に基づいて、空調機の制御内容を決定する。
【００２１】
本発明の第９観点に係る空調制御装置では、内気温度値及び内気絶対湿度値のいずれか一方が目標温湿度範囲内にないときは、外気温度値又は外気絶対湿度値に基づいて空調機の制御内容が決定される。この結果、室内空間の環境が目標温湿度範囲以外の所定の温湿度範囲内にある場合には、換気によって室内空間に取り入れられる外気の温度や湿度の環境に応じた制御を行うことができる。したがって、換気によって室内空間に外気が取り入れられても、室内空間の環境を目標温湿度範囲内に導きやすくすることができる。
【００２２】
これによって、ユーザの快適性が損なわれないように空調機を制御することができる。
【００２３】
本発明の第１０観点に係る空調制御装置は、第９観点の空調制御装置において、目標温湿度範囲では、各温度値に対する湿度の上限値及び下限値が決まっている。また、制御部は、自動制御において、内気温度値が目標温湿度範囲の温度の下限値から上限値の間になく、かつ、内気絶対湿度値が目標温湿度範囲の温度の下限値に対する湿度の下限値から上限値の間にあるとき、或いは、内気絶対湿度値が目標温湿度範囲の温度の上限値に対する湿度の下限値から上限値の間にあるときは、内気絶対湿度値が維持されるように、外気絶対湿度値及び内気絶対湿度値に基づいて湿度調整部の制御内容を決定する。
【００２４】
本発明の第１０観点に係る空調制御装置では、内気温度値が目標温湿度範囲の温度の下限値から上限値の間になく、内気絶対湿度値が目標温湿度範囲の温度の下限値に対する湿度の下限値から上限値の間にある場合、又は、内気温度値が目標温湿度範囲の温度の下限値から上限値の間になく、内気絶対湿度値が目標温湿度範囲の温度の上限値に対する湿度の下限値から上限値の間にある場合は、内気絶対湿度値が維持されるように外気絶対湿度値及び内気絶対湿度値に基づいて湿度調整部の制御内容が決定される。この空調制御装置では、外気絶対湿度値及び内気絶対湿度値に基づいて湿度調整部の制御内容が決定されるため、換気によって室内空間に外気が取り入れられても、室内空間の環境を目標温湿度範囲内に導きやすくすることができる。
【００２５】
本発明の第１１観点に係る空調制御装置は、第９観点又は第１０観点の空調制御装置において、目標温湿度範囲では、各温度値に対する湿度の上限値及び下限値が決まっている。また、制御部は、自動制御において、内気温度値が目標温湿度範囲の温度の下限値から上限値の間にあり、かつ、内気絶対湿度値が目標温湿度範囲の湿度の上限値よりも大きいとき、或いは、内気絶対湿度値が目標温湿度範囲の湿度の下限値よりも小さいときは、内気温度値が維持されるように、外気温度値及び内気温度値に基づいて温度調整部の制御内容を決定する。
【００２６】
本発明の第１１観点に係る空調制御装置では、内気温度値が目標温湿度範囲の温度の下限値から上限値の間にあり、内気絶対湿度値が目標温湿度範囲の湿度の上限値よりも大きい場合、又は、内気温度値が目標温湿度範囲の温度の下限値から上限値の間にあり、内気絶対湿度値が目標温湿度範囲の湿度の下限値よりも小さい場合には、外気温度値及び内気温度値に基づいて温度調整部の制御内容が決定されている。この空調制御装置では、外気温度値及び内気温度値に基づいて温度調整部の制御内容が決定されているため、換気によって室内空間に外気が取り入れられても、室内空間の環境を目標温湿度範囲内に導きやすくすることができる。
【００２７】
本発明の第１２観点に係る空調制御装置は、第９観点から第１１観点のいずれかの空調制御装置において、目標温湿度範囲では、各温度値に対する湿度の上限値及び下限値が決まっている。また、制御部は、自動制御において、内気温度値が目標温湿度範囲の温度の下限値から上限値の間にあり、かつ、内気絶対湿度値が目標温湿度範囲の湿度の上限値よりも大きいとき、或いは、内気絶対湿度値が目標温湿度範囲の湿度の下限値よりも小さいときは、絶対湿度目標値を、内気温度値に対する目標温湿度範囲の湿度の上限値或いは下限値のうち内気絶対湿度値に近い方の値に決定する。そして、制御部は、決定した絶対湿度目標値に室内空間の環境が導かれるように、湿度調整部の制御内容を決定する。
【００２８】
本発明の第１２観点に係る空調制御装置では、内気温度値が目標温湿度範囲の温度の下限値から上限値の間にあり、内気絶対湿度値が目標温湿度範囲の湿度の上限値よりも大きい場合、又は、内気温度値が目標温湿度範囲の温度の下限値から上限値の間にあり、内気絶対湿度値が目標温湿度範囲の湿度の下限値よりも小さい場合には、絶対湿度目標値が、内気温度値に対する目標温湿度範囲の湿度の上限値或いは下限値のうち内気絶対湿度値に近い方の値に決定される。このため、例えば、絶対湿度目標値が、内気温度値又は内気絶対湿度値に関係なく決定される場合と比較して、省エネルギーを実現し、かつ、室内空間の環境を目標温湿度範囲内に導きやすくすることができる。
【００２９】
本発明の第１３観点に係る空調制御装置は、第９観点から第１２観点のいずれかの空調制御装置において、目標温湿度範囲では、各温度値に対する湿度の上限値が決まっている。また、空調機は、第１空調機と第２空調機とを含む。第１空調機は、湿度調整部を有する。第２空調機は、温度調整部を有する。また、第１空調機は、室内空間の換気を行う換気部を更に有する。制御部は、自動制御において、内気絶対湿度値が、目標温湿度範囲内の湿度の上限値よりも大きいときは、室内空間の除湿及び換気が行われるように、第１空調機を制御する。
【００３０】
本発明の第１３観点に係る空調制御装置では、第１空調機は、湿度調整部と換気部とを有している。このため、例えば、室内空間を換気する換気機能を有する空調機を更に設置しなくても、第１空調機を設置することで室内空間の湿度調整と換気とを行うことができる。また、この空気調和機では、内気絶対湿度値が目標温湿度範囲内の湿度の上限値よりも大きいときは、室内空間の除湿及び換気が行われるため、室内空間の環境を目標温湿度範囲内に導きやすくすることができる。
【００３１】
本発明の第１４観点に係る空調制御装置は、第１３観点の空調制御装置において、目標温湿度範囲では、各温度値に対する湿度の下限値が決まっている。また、制御部は、自動制御において、内気絶対湿度値が、目標温湿度範囲の湿度の下限値よりも小さいときは、室内空間の加湿及び換気が行われるように、第１空調機を制御する。このため、この空調制御装置では、室内空間の環境を目標温湿度範囲内に導きやすくすることができる。
【００３２】
本発明の第１５観点に係る空調制御装置は、第９観点又は第１０観点の空調制御装置において、目標温湿度範囲では、各温度値に対する湿度の上限値及び下限値が決まっている。また、制御部は、自動制御において、内気温度値が目標温湿度範囲の下限値から上限値の間になく、かつ、内気絶対湿度値が目標温湿度範囲の温度の下限値に対する湿度の上限値よりも大きいとき、或いは、内気絶対湿度値が目標温湿度範囲の温度の上限値に対する湿度の下限値よりも小さいときは、外気絶対湿度値に基づいて、湿度調整部の制御内容を決定する。
【００３３】
本発明の第１５観点に係る空調制御装置では、内気温度値が目標温湿度範囲の下限値から上限値の間になく、内気絶対湿度値が目標温湿度範囲の温度の下限値に対する湿度の上限値よりも大きい場合、又は、内気温度値が目標温湿度範囲の下限値から上限値の間になく、内気絶対湿度値が目標温湿度範囲の温度の上限値に対する湿度の下限値よりも小さい場合には、外気絶対湿度値に基づいて湿度調整部の制御内容が決定される。この空調制御装置では、外気絶対湿度値に基づいて湿度調整部の制御内容が決定されているため、換気によって室内空間に外気が取り入れられても、室内空間の環境を目標温湿度範囲内に導きやすくすることができる。
【００３４】
本発明の第１６観点に係る空調制御装置は、第１観点から第１５観点のいずれかの空調制御装置において、制御部は、自動制御を所定時間毎に行う。このため、換気によって室内空間に取り入れられる外気の温度や湿度の変化に応じて空調機を制御することができる。
【発明の効果】
【００３５】
本発明の第１観点に係る空調制御装置では、ユーザの快適性が損なわれないように空調機を制御することができる。
【００３６】
本発明の第２観点に係る空調制御装置では、外気温度値及び外気絶対湿度値が、目標温湿度範囲という所定の温湿度範囲内にあるか否かを把握することができる。
【００３７】
本発明の第３観点に係る空調制御装置では、絶対湿度目標値が、外気温度値又は外気絶対湿度値に関係なく決定される場合と比較して、省エネルギーを実現し、かつ、室内空間の環境を目標温湿度範囲内に導きやすくすることができる。
【００３８】
本発明の第４観点に係る空調制御装置では、外気温度値及び外気湿度値に基づいて温度目標値及び絶対湿度目標値が決定されるため、換気によって室内空間に外気が取り入れられても、室内空間の環境を目標温湿度範囲内に導きやすくすることができる。
【００３９】
本発明の第５観点に係る空調制御装置では、温度目標値や絶対湿度目標値が、外気温度値又は外気絶対湿度値に関係なく決定される場合と比較して、省エネルギーを実現し、かつ、室内空間の環境を目標温湿度範囲内に導きやすくすることができる。
【００４０】
本発明の第６観点に係る空調制御装置では、温度目標値が、外気温度値又は外気絶対湿度値に関係なく決定される場合と比較して、省エネルギーを実現し、かつ、室内空間の環境を目標温湿度範囲内に導きやすくすることができる。
【００４１】
本発明の第７観点に係る空調制御装置では、室内空間の環境を目標温湿度範囲内に導きやすくすることができる。
【００４２】
本発明の第８観点に係る空調制御装置では、室内空間の環境を目標温湿度範囲内に導きやすくすることができる。
【００４３】
本発明の第９観点に係る空調制御装置では、ユーザの快適性が損なわれないように空調機を制御することができる。
【００４４】
本発明の第１０観点に係る空調制御装置では、外気絶対湿度値及び内気絶対湿度値に基づいて湿度調整部の制御内容が決定されるため、換気によって室内空間に外気が取り入れられても、室内空間の環境を目標温湿度範囲内に導きやすくすることができる。
【００４５】
本発明の第１１観点に係る空調制御装置では、外気温度値及び内気温度値に基づいて温度調整部の制御内容が決定されているため、換気によって室内空間に外気が取り入れられても、室内空間の環境を目標温湿度範囲内に導きやすくすることができる。
【００４６】
本発明の第１２観点に係る空調制御装置では、絶対湿度目標値が、内気温度値又は内気絶対湿度値に関係なく決定される場合と比較して、省エネルギーを実現し、かつ、室内空間の環境を目標温湿度範囲内に導きやすくすることができる。
【００４７】
本発明の第１３観点に係る空調制御装置では、内気絶対湿度値が目標温湿度範囲内の湿度の上限値よりも大きいときは、室内空間の除湿及び換気が行われるため、室内空間の環境を目標温湿度範囲内に導きやすくすることができる。
【００４８】
本発明の第１４観点に係る空調制御装置では、室内空間の環境を目標温湿度範囲内に導きやすくすることができる。
【００４９】
本発明の第１５観点に係る空調制御装置では、外気絶対湿度値に基づいて湿度調整部の制御内容が決定されているため、換気によって室内空間に外気が取り入れられても、室内空間の環境を目標温湿度範囲内に導きやすくすることができる。
【００５０】
本発明の第１６観点に係る空調制御装置では、換気によって室内空間に取り入れられる外気の温度や湿度の変化に応じて空調機を制御することができる。
【図面の簡単な説明】
【００５１】
【図１】本発明の第１実施形態に係る空調制御装置が適用される空気調和システムの概略図。
【図２】外調機の備える概略冷媒回路図であって、（ａ）除湿換気運転の第１動作が行われている状態を示す図、（ｂ）除湿換気運転の第２動作が行われている状態を示す図。
【図３】外調機の備える概略冷媒回路図であって、（ａ）加湿換気運転の第１動作が行われている状態を示す図、（ｂ）加湿換気運転の第２動作が行われている状態を示す図。
【図４】空調機の備える概略冷媒回路図。
【図５】空調制御装置の備える制御部の制御ブロック図。
【図６】温度及び絶対湿度と目標温湿度範囲との関係を示す図。
【図７】各温湿度の範囲と空調機及び外調機の運転内容との対応関係を示す図。
【図８】従来の空気調和装置の制御方法を説明するための図。
【図９】本発明の第２実施形態に係る空調制御装置の備える制御部の制御ブロック図。
【図１０】温度及び絶対湿度と目標温湿度範囲との関係を示す図。
【図１１】各温湿度の範囲と空調機及び外調機の運転内容との対応関係を示す図。
【図１２】変形例２Ａに係る空調制御装置の備える記憶部に記憶されているテーブルであって、各温湿度の範囲と空調機及び外調機の運転内容との対応関係を示す図。
【図１３】変形例２Ｂに係る空調制御装置の備える記憶部に記憶されているテーブルであって、各温湿度の範囲と空調機及び外調機の運転内容との対応関係を示す図。
【発明を実施するための形態】
【００５２】
＜第１実施形態＞
本発明の第１実施形態に係る空調制御装置６０は、換気が行われるビル等の屋内（室内空間）の環境（温度及び湿度）を調整するために設置された空気調和装置１０の動作を制御する。また、空気調和装置１０は、湿度調整機能及び換気機能を有する外調機３０と、温度調整機能を有する空調機２０とを備えている。
【００５３】
（１）外調機
図２及び図３は、外調機３０の備える冷媒回路３６図である。また、図２（ａ）は、外調機３０において除湿換気運転における第１動作が行われている状態を示している。図２（ｂ）は、外調機３０において除湿換気運転における第２動作が行われている状態を示している。さらに、図３（ａ）は、外調機３０において加湿換気運転における第１動作が行われている状態を示している。図３（ｂ）は、外調機３０において加湿換気運転における第２動作が行われている状態を示している。
【００５４】
外調機３０は、ビルの機械室等に設置されており、室内空間に外気（以下にいう屋外空気ＯＡ及び供給空気ＳＡに相当）を供給することで室内空間の換気を行う。また、外調機３０は、熱交換器の表面にシリカゲル等の吸着剤を担持したデシカント式外調機であって、室内空間に供給する外気（以下にいう屋外空気ＯＡに相当）に対して除湿又は加湿を行う。
【００５５】
また、外調機３０は、圧縮機３１、四路切換弁３２、膨張弁３３、第１熱交換器３４及び第２熱交換器３５を備えている。なお、本実施形態における外調機３０では、圧縮機３１、四路切換弁３２、第１熱交換器３４、膨張弁３３及び第２熱交換器３５が冷媒配管を介して接続されて冷媒回路３６が形成されている。
【００５６】
圧縮機３１は、インバータ制御により運転容量を変更することが可能な容積式圧縮機である。四路切換弁３２は、冷媒回路３６内を流れる冷媒の流路を切り換えるための弁である。四路切換弁３２は、圧縮機３１の吐出側と第１熱交換器３４とを接続するとともに圧縮機３１の吸入側と第２熱交換器３５とを接続（図２及び図３の四路切換弁３２の実線を参照）したり、圧縮機３１の吐出側と第２熱交換器３５とを接続するとともに圧縮機３１の吸入側と第１熱交換器３４を接続（図２及び図３の四路切換弁３２の破線を参照）したりする切り換えを行うことが可能である。
【００５７】
第１熱交換器３４及び第２熱交換器３５は、クロスフィン式のフィン・アンド・チューブ型の熱交換器であって、多数のフィンと、フィンを貫通する伝熱管とを備えている。各フィン及び伝熱管の外表面には、第１熱交換器３４及び第２熱交換器３５を通過する空気に含まれる水分が吸着される吸着剤（例えば、ゼオライトやシリカゲル等）がディップ成形（浸漬成形）等によって担持されている。
【００５８】
第１熱交換器３４及び第２熱交換器３５は、その外側に空気を通過させながら冷媒の蒸発器として機能することで、その表面に担持された吸着剤に空気中の水分を吸着させることができる。また、第１熱交換器３４及び第２熱交換器３５は、その外側に空気を通過させながら冷媒の凝縮器として機能することで、その表面に担持された吸着剤に吸着された水分を脱離させることができる。
【００５９】
膨張弁３３は、第１熱交換器３４と第２熱交換器３５との間に接続された電動膨張弁であり、凝縮器として機能する第１熱交換器３４及び第２熱交換器３５の一方から蒸発器として機能する第１熱交換器３４及び第２熱交換器３５の他方に送られる冷媒を減圧することができる。
【００６０】
また、外調機３０は、図示しないが、屋外の空気（以下、屋外空気ＯＡという）を外調機３０内に吸入するための外気吸入口と、外調機３０内から屋外に空気を排出するための排気口と、室内空間の空気（以下、屋内空気ＲＡという）を外調機３０内に吸入するための内気吸入口と、外調機３０内から室内空間に吹き出される空気（以下、供給空気ＳＡという）を供給するための給気口と、排気口に連通するように外調機３０内に配置された排気ファンと、給気口に連通するように外調機３０内に配置された給気ファンと、空気流路を切り換えるためのダンパ等からなる切換機構と、を備えている。これにより、第１熱交換器３４及び第２熱交換器３５は、屋外空気ＯＡを外気吸入口から外調機３０内に吸入して第１熱交換器３４又は第２熱交換器３５を通過させた後に、給気口から室内空間に供給空気ＳＡとして供給したり、屋内空気ＲＡを内気吸入口から外調機３０内に吸入して第１熱交換器３４及び第２熱交換器３５を通過させた後に排気口から屋外に排気空気ＥＡとして排出したりすることができる。
【００６１】
さらに、外調機３０は、温度センサ３７と、湿度センサ３８と、外調機制御部３９と備えている（図１及び図５参照）。温度センサ３７は、外調機３０内に吸入される屋外空気ＯＡの温度を検出する。湿度センサ３８は、外調機３０内に吸入される屋外空気ＯＡの絶対湿度を検出する。外調機制御部３９は、マイクロコンピュータやメモリを有しており、外調機３０の有する各種機器の動作を制御する。また、外調機制御部３９は、温度センサ３７によって検出される屋外空気ＯＡの温度値（以下、外気温度値という）及び湿度センサ３８によって検出される屋外空気ＯＡの絶対湿度値（以下、外気絶対湿度値という）を空調制御装置６０に送信したり、空調制御装置６０から送信される絶対湿度目標値や運転モードに関する制御信号を受信したりすることができる。なお、本実施形態では、外調機３０の備える湿度センサ３８は、屋外空気ＯＡの絶対湿度を検出するセンサであるが、これに限定されず、湿度センサが屋外空気ＯＡの相対湿度を検出するセンサであってもよい。
【００６２】
（２）空調機
空調機２０は、室内空間の空気の温度調整を行うために、暖房運転や冷房運転を行う。また、空調機２０は、ビル等の天井裏の空間に設置される室内ユニット２１と、ビル等の屋上等に設置される室外ユニット２２とを備えている。なお、本実施形態では、空調機２０は１台の室外ユニット２２と２台の室内ユニット２１とを備えているが、室外ユニットや室内ユニットの台数はこれに限定されず、例えば、空調機が、２台以上の室外ユニットを備えていてもよく、また、３台以上の室内ユニットを備えていてもよい。
【００６３】
室内ユニット２１は、連絡配管を介して室外ユニット２２と接続されており、室外ユニット２２との間で冷媒回路２３を構成している。室内ユニット２１は、この冷媒回路２３内において、冷媒を循環させて蒸気圧縮式の冷凍サイクル運転を行うことで、屋内空気ＲＡの温度を下降させたり、あるいは、上昇させたりすることができる。
【００６４】
また、室内ユニット２１は、室内熱交換器２４と、室内膨張弁２５ａと、を備えている。室内熱交換器２４は、伝熱管と多数のフィンから構成されるクロスフィン式のフィン・アンド・チューブ型熱交換器であって、冷媒と屋内空気ＲＡとの熱交換を行うための機器である。室内膨張弁２５ａは、冷媒流量の調整等を行うために、室内熱交換器２４の液側に接続された電動膨張弁である。また、室内ユニット２１は、室内ユニット２１内に屋内空気ＲＡを吸入して、熱交換した後に、室内空間に供給するための室内ファン（図示せず）を備えている。室内ファンが駆動することで、屋内空気ＲＡと室内熱交換器２４を流れる冷媒とを熱交換させることができる。
【００６５】
また、室内ユニット２１は、室内ユニット２１に吸入される屋内空気ＲＡの温度や湿度を検出する各種センサ（図示せず）を有している。さらに、室内ユニット２１は、室内ユニット２１の有する各種機器の動作を制御する室内制御部２５を有している。室内制御部２５は、マイクロコンピュータやメモリを有しており、各種センサによって検出される検出結果を空調制御装置６０に送信したり、空調制御装置６０から送信される温度目標値や運転モードに関する制御信号を受信したりすることができる。
【００６６】
室外ユニット２２は、連絡配管を介して室内ユニット２１に接続されており、主として、圧縮機２６と、四路切換弁２７と、室外熱交換器２８と、室外膨張弁２５ｂと、を備えている。
【００６７】
圧縮機２６は、インバータ制御により運転容量を変更することが可能な容積式圧縮機である。四路切換弁２７は、冷房運転と暖房運転との切換時に、冷媒の流れ方向を切り換えるための弁である。四路切換弁２７は、冷房運転時には、圧縮機２６の吐出側と室外熱交換器２８のガス側とを接続するとともに、室内熱交換器２４と圧縮機２６の吸入側とを接続することが可能である（図４における四路切換弁２７の実線を参照）。また、四路切換弁２７は、暖房運転時には、圧縮機２６の吐出側と室内熱交換器２４とを接続するとともに室外熱交換器２８のガス側と圧縮機２６の吸入側とを接続することが可能である（図４における四路切換弁２７の破線を参照）。
【００６８】
室外熱交換器２８は、伝熱管と多数のフィンから構成されるクロスフィン式のフィン・アンド・チューブ型熱交換器であって、空気を熱源として冷媒と熱交換するための機器である。また、室外ユニット２２は、室外ユニット２２内に屋外の空気を取り込み、送り出すための室外ファン（図示せず）を備えており、屋外の空気と室外熱交換器２８を流れる冷媒との間で熱交換させることができる。さらに、室外熱交換器２８は、冷房運転時には冷媒の凝縮器として機能し、暖房運転時には冷媒の蒸発器として機能する。
【００６９】
室外膨張弁２５ｂは、室外熱交換器２８と室内熱交換器２４との間を流れる冷媒の流量の調整等を行うことが可能な電動膨張弁である。室外膨張弁２５ｂは、室外熱交換器２８が凝縮器として機能する場合には、ほぼ全開状態で使用され、室外熱交換器２８が蒸発器として機能する場合には開度が調整されて室内熱交換器２４から室外熱交換器２８に流入する冷媒を減圧するのに使用される。
【００７０】
また、室外ユニット２２は、圧縮機２６の吸入圧力や吐出圧力を検出する圧力センサ等の各種センサ（図示せず）を有している。また、室外ユニット２２は、室外制御部２９を有している。室外制御部２９は、マイクロコンピュータやメモリを有しており、室外ユニット２２の有する各種機器の動作を制御する。また、室外制御部２９は、室内制御部２５との間で制御信号のやりとりを行うことができる。さらに、室外制御部２９は、空調制御装置６０からの制御信号等を受信することができる。
【００７１】
（３）空調制御装置
空調制御装置６０は、制御部６５と、入力部６２とを備えている（図１参照）。入力部６２は、ユーザが快適温度範囲及び快適湿度範囲を設定するために操作される部分であって、スイッチ等の入力装置から構成されている。具体的には、ユーザは、入力部６２を操作して上限温度値Ｂと下限温度値Ａとを入力することで、快適温度範囲（下限温度値Ａから上限温度値Ｂまでの範囲）を設定することができる。また、ユーザは、入力部６２を操作して上限相対湿度値Ｄと下限相対湿度値Ｃとを入力することで、快適湿度範囲（下限相対湿度値Ｃから上限相対湿度値Ｄまでの範囲）を設定することができる。
【００７２】
また、制御部６５は、図５に示すように、通信部６１と、特定部６６と、空調制御部６３と、記憶部６４とを有している。
【００７３】
通信部６１は、外調機制御部３９、室内制御部２５及び室外制御部２９から送信される各種信号を受信して、特定部６６や空調制御部６３に送信する。また、通信部６１は、空調制御部６３から受信した制御信号等を、外調機制御部３９、室内制御部２５及び室外制御部２９に送信する。
【００７４】
特定部６６は、温度センサ３７によって検出された外気温度値を、現在の外気温度値として特定する。また、特定部６６は、湿度センサ３８によって検出された外気絶対湿度値を、現在の外気絶対湿度値として特定する。なお、本実施形態では、湿度センサ３８は絶対湿度を検出するセンサであるが、例えば、湿度センサが相対湿度を検出するセンサである場合には、特定部によって、湿度センサによって検出される外気相対湿度値と温度センサによって検出される外気温度値とから絶対湿度値が算出され、算出された絶対湿度値が現在の外気絶対湿度値として特定されてもよい。
【００７５】
空調制御部６３は、快適温度範囲及び快適湿度範囲から目標温湿度範囲ＡＲ５を決定する。また、空調制御部６３は、決定した目標温湿度範囲ＡＲ５内に室内空間の環境が導かれるように空調機２０及び外調機３０を連携して制御する自動制御を行う。
【００７６】
空調制御部６３は、記憶部６４に記憶されている空気線図に基づき、ユーザによって入力部６２を介して入力された快適温度範囲及び快適湿度範囲に関する信号を利用して、目標温湿度範囲ＡＲ５を決定する。具体的には、空調制御部６３は、図６に示す空気線図において、快適温度範囲の下限温度値Ａ、快適温度範囲の上限温度値Ｂ、快適湿度範囲の下限相対湿度値Ｃ及び快適湿度範囲の上限相対湿度値Ｄによって規定される温湿度範囲を、目標温湿度範囲ＡＲ５に決定する。なお、説明の便宜上、図６に示す快適温度範囲を規定する線を、それぞれ、下限温度線ｔａ、上限温度線ｔｂ、下限湿度線ｈｃ及び上限湿度線ｈｄという。さらに、空調制御部６３は、快適温度範囲及び快適湿度範囲に関する信号を利用して、目標温湿度範囲ＡＲ５以外の複数の温湿度範囲を決定する。図６には、目標温湿度範囲ＡＲ５の頂点（下限温度線ｔａと下限湿度線ｈｃとが交差する点、下限温度線ｔａと上限湿度線ｈｄとが交差する点、上限温度線ｔｂと下限湿度線ｈｃとが交差する点、上限温度線ｔｂと上限湿度線ｈｄとが交差する点）から延びる複数の破線ｔｐａ、ｔｐｂ，ｈｃａ，ｈｃｂ，ｈｄａ，ｈｄｂが示されている。また、破線ｔｐａ、ｔｐｂは、下限温度線ｔａ又は上限温度線ｔｂを上下に延長した線であって、図６において、目標温湿度範囲ＡＲ５の下限温度値Ａ及び上限温度値Ｂを示している。破線ｈｃａは、下限温度値Ａにおける下限絶対湿度値（下限温度値Ａにおける下限相対湿度値Ｃを絶対湿度に換算した値）Ｃａを示し、破線ｈｄａは、下限温度値Ａにおける上限絶対湿度値（下限温度値Ａにおける上限相対湿度値Ｄを絶対湿度に換算した値）Ｄａを示しており、破線ｈｃｂは、上限温度値Ｂにおける下限絶対湿度値（上限温度値Ｂにおける下限相対湿度値Ｃを絶対湿度に換算した値）Ｃｂを示し、破線ｈｄｂは、上限温度値Ｂにおける上限絶対湿度値（上限温度値Ｂにおける上限相対湿度値Ｄを絶対湿度に換算した値）Ｄｂを示している。これら破線ｔｐａ、ｔｐｂ，ｈｃａ，ｈｃｂ，ｈｄａ，ｈｄｂによって、目標温湿度範囲ＡＲ５以外の複数の温湿度範囲ＡＲ１〜ＡＲ９が決定される。
【００７７】
さらに、空調制御部６３は、自動制御において、特定部６６によって特定された現在の外気温度値及び現在の外気絶対湿度値が、決定したいずれの範囲ＡＲ１〜ＡＲ９にあるかを判定（把握）する。そして、空調制御部６３は、図７に示すテーブルを参照して、現在の外気温度値及び現在の外気絶対湿度値を含む範囲に基づいて、外調機３０及び空調機２０の運転内容を決定する。次に、空調制御部６３が、外調機３０及び空調機２０の運転内容をどのように決定するかについて、図７を用いて説明する。図７は、外調機３０の運転内容及び空調機２０の運転内容を、外気温度値及び外気絶対湿度値の位置する範囲毎に表したテーブルである。本実施形態に係る空調機２０の運転モードには、暖房運転、送風運転及び冷房運転が含まれる。また、本実施形態に係る外調機３０の運転モードには、除湿換気運転、換気運転及び加湿換気運転が含まれる。なお、図７のテーブルは、空調制御部６３の備える記憶部６４に記憶されている。
【００７８】
具体的には、空調制御部６３は、特定部６６によって特定された現在の外気温度値及び現在の外気絶対湿度値が目標温湿度範囲ＡＲ５内にあるか否かを判定する。また、空調制御部６３は、特定部６６によって特定された現在の外気温度値及び現在の外気絶対湿度値が目標温湿度範囲ＡＲ５内にない場合には、現在の外気温度値及び現在の外気絶対湿度値が決定した各範囲ＡＲ１〜ＡＲ９のいずれの範囲にあるかを更に判定する。次に、空調制御部６３は、図７のテーブル内から判定した範囲ＡＲ１〜ＡＲ９に応じた空調機２０及び外調機３０の運転モードを選択して抽出し、かつ、図７のテーブル内から特定した範囲に応じた空調機２０及び外調機３０の目標温度及び目標絶対湿度を選択して抽出する。そして、空調制御部６３は、抽出した各運転モードが行われるように制御信号を生成し、生成した制御信号を通信部６１に送信する。また、空調制御部６３は、抽出した目標温度の温度値を温度目標値に決定し、決定した温度目標値に関する信号を通信部６１に送信するとともに、抽出した目標絶対湿度の絶対湿度値を絶対湿度目標値に決定し、決定した絶対湿度目標値に関する信号を通信部６１に送信する。なお、本実施形態では、図７において目標温度の温度値及び目標絶対湿度の絶対湿度値が設定されていない場合（温度値あるいは絶対湿度値が「−」である場合）があるが、これに限定されず、すべての範囲に対して目標温度の温度値及び目標絶対湿度の絶対湿度値が設定されていてもよい。
【００７９】
ここで、現在の外気温度値及び現在の外気絶対湿度値が範囲ＡＲ２にある場合（図６中のＰ２参照）、空調制御部６３は、空調機２０の運転モードを送風運転に決定し、外調機３０の運転モードを除湿換気運転に決定する。また、空調制御部６３は、絶対湿度目標値を、判定時すなわち現在の外気温度値に対する上限相対湿度値Ｄを絶対湿度に換算した値に決定する。具体的には、空調制御部６３は、現在の外気温度値を維持し、かつ、判定時すなわち現在の外気絶対湿度値を上限湿度線ｈｄにシフトした値を絶対湿度目標値に決定する。より具体的には、図６に示すように、現在の外気温度をＸとすると、現在の外気温度値Ｘにおける目標温湿度範囲ＡＲ５の湿度の上限値に相当する絶対湿度値（以下、外気温度値Ｘにおける絶対湿度の上限値Ｄｘという）を絶対湿度目標値に決定する。この場合、制御信号が通信部６１に送信されることで、空調機２０では送風運転が実行され、外調機３０では絶対湿度目標値を外気温度値Ｘにおける絶対湿度の上限値Ｄｘとした除湿換気運転が実行される。この結果、除湿換気運転により、判定時よりも絶対湿度の低い空気（外気）が屋内に供給されるため、屋内の空気の絶対湿度（以下、内気絶対湿度という）を快適湿度範囲内に導くことができる。これにより、屋内の環境を、目標温湿度範囲ＡＲ５内に導くことができる。
【００８０】
現在の外気温度値及び現在の外気絶対湿度値が範囲ＡＲ８にある場合（図６中のＰ８参照）、空調制御部６３は、空調機２０の運転モードを送風運転に決定し、外調機３０の運転モードを加湿換気運転に決定する。また、空調制御部６３は、絶対湿度目標値を、判定時すなわち現在の外気温度値に対する下限相対湿度値Ｃを絶対湿度に換算した値に決定する。具体的には、空調制御部６３は、現在の外気温度値を維持し、かつ、判定時すなわち現在の外気絶対湿度値を下限湿度線ｈｃにシフトした値を絶対湿度目標値に決定する。より具体的には、図６に示すように、現在の外気温度をＸとすると、現在の外気温度値Ｘにおける目標温湿度範囲ＡＲ５の湿度の下限値に相当する絶対湿度値（以下、外気温度値Ｘにおける絶対湿度の下限値Ｃｘという）を絶対湿度目標値に決定する。この場合、制御信号が通信部６１に送信されることで、空調機２０では送風運転が実行され、外調機３０では絶対湿度目標値を外気温度値Ｘにおける絶対湿度の下限値Ｃｘとした加湿換気運転が実行される。この結果、加湿換気運転により、判定時よりも絶対湿度の高い空気（外気）が屋内に供給されるため、内気絶対湿度を快適湿度範囲内に導くことができる。これにより、屋内の環境を、目標温湿度範囲ＡＲ５内に導くことができる。
【００８１】
現在の外気温度値及び現在の外気絶対湿度値が範囲ＡＲ４にある場合（図６中のＰ４参照）、空調制御部６３は、空調機２０の運転モードを冷房運転に決定し、外調機３０の運転モードを換気運転に決定する。また、空調制御部６３は、判定時すなわち現在の外気温度値を上限温度線ｔｂにシフトした温度値すなわち上限温度値Ｂを温度目標値に決定する。この場合、制御信号が通信部６１に送信されることで、空調機２０では温度目標値を上限温度値Ｂとした冷房運転が実行され、外調機３０では換気運転が実行される。この結果、換気運転により、判定時と同程度の絶対湿度の外気、すなわち、絶対湿度が快適湿度範囲内にある空気（外気）が屋内に供給されるため、内気絶対湿度を快適湿度範囲内に導くことができる。また、換気運転により上限温度値Ｂよりも温度の高い外気が屋内に供給されても、冷房運転により屋内の空気の温度（以下、内気温度という）を下げることができるため、内気温度を快適温度範囲内に導くことができる。これにより、屋内の環境を、目標温湿度範囲ＡＲ５内に導くことができる。
【００８２】
現在の外気温度値及び現在の外気絶対湿度値が範囲ＡＲ６にある場合（図６中のＰ６参照）、空調制御部６３は、空調機２０の運転モードを暖房運転に決定し、外調機３０の運転モードを換気運転に決定する。また、空調制御部６３は、判定時すなわち現在の外気温度値を下限温度線ｔａにシフトした温度値すなわち下限温度値Ａを温度目標値に決定する。この場合、制御信号が通信部６１に送信されることで、空調機２０では温度目標値を下限温度値Ａとした暖房運転が実行され、外調機３０では換気運転が実行される。この結果、換気運転により、判定時と同程度の絶対湿度の外気、すなわち、絶対湿度が快適湿度範囲内にある空気（外気）が屋内に供給されるため、内気絶対湿度を快適湿度範囲内に導くことができる。また、換気運転により下限温度値Ａよりも温度の低い外気が屋内に供給されても、暖房運転により内気温度を上げることができるため、内気温度を快適温度範囲内に導くことができる。これにより、屋内の環境を、目標温湿度範囲ＡＲ５内に導くことができる。
【００８３】
現在の外気温度値及び現在の外気絶対湿度値が目標温湿度範囲ＡＲ５にある場合、空調制御部６３は、空調機２０の運転モードを送風運転に決定し、外調機３０の運転モードを換気運転に決定する。この場合、制御信号が通信部６１に送信されることで、空調機２０では送風運転が実行され、外調機３０では換気運転が実行される。この結果、換気運転により、判定時と同程度の絶対湿度の外気、すなわち、絶対湿度が快適湿度範囲内にある空気（外気）が屋内に供給されるため、内気絶対湿度を快適湿度範囲内に導くことができる。これにより、屋内の環境を、目標温湿度範囲ＡＲ５内に導くことができる。
【００８４】
現在の外気温度値及び現在の外気絶対湿度値が範囲ＡＲ１にある場合（図６中のＰ１参照）、空調制御部６３は、空調機２０の運転モードを暖房運転に決定し、外調機３０の運転モードを除湿換気運転に決定する。また、空調制御部６３は、判定時すなわち現在の外気温度値を下限温度線ｔａにシフトした温度値すなわち下限温度値Ａを温度目標値に決定し、下限温度値Ａにおける目標温湿度範囲ＡＲ５の湿度の上限値の絶対湿度換算値である上限絶対湿度値Ｄａを絶対湿度目標値に決定する。この場合、制御信号が通信部６１に送信されることで、空調機２０では温度目標値を下限温度値Ａとした暖房運転が実行され、外調機３０では絶対湿度目標値を上限絶対湿度値Ｄａとした除湿換気運転が実行される。この結果、除湿換気運転により、判定時よりも絶対湿度の低い空気（外気）が屋内に供給されるため、内気絶対湿度を快適湿度範囲内に導くことができる。また、除湿換気運転により下限温度値Ａよりも温度の低い外気が屋内に供給されても、暖房運転により内気温度を上げることができるため、内気温度を快適温度範囲内に導くことができる。これにより、屋内の環境を、目標温湿度範囲ＡＲ５内に導くことができる。
【００８５】
現在の外気温度値及び現在の外気絶対湿度値が範囲ＡＲ３にある場合（図６中のＰ３参照）、空調制御部６３は、空調機２０の運転モードを冷房運転に決定し、外調機３０の運転モードを除湿換気運転に決定する。また、空調制御部６３は、判定時すなわち現在の外気温度値を上限温度線ｔｂにシフトした温度値すなわち上限温度値Ｂを温度目標値に決定し、上限温度値Ｂにおける目標温湿度範囲ＡＲ５の湿度の上限値の絶対湿度換算値である上限絶対湿度値Ｄｂを絶対湿度目標値に決定する。この場合、制御信号が通信部６１に送信されることで、空調機２０では温度目標値を上限温度値Ｂとした冷房運転が実行され、外調機３０では絶対湿度目標値を上限絶対湿度値Ｄｂとした除湿換気運転が実行される。この結果、除湿換気運転により、判定時よりも絶対湿度の低い空気（外気）が屋内に供給されるため、内気絶対湿度を快適湿度範囲内導くことができる。また、除湿換気運転により上限温度値Ｂよりも温度の高い外気が屋内に供給されても、冷房運転により内気温度を下げることができるため、内気温度を快適温度範囲内に導くことができる。これにより、屋内の環境を、目標温湿度範囲ＡＲ５内に導くことができる。
【００８６】
現在の外気温度値及び現在の外気絶対湿度値が範囲ＡＲ７にある場合（図６中のＰ７参照）、空調制御部６３は、空調機２０の運転モードを暖房運転に決定し、外調機３０の運転モードを加湿換気運転に決定する。また、空調制御部６３は、下限温度値Ａを温度目標値に決定し、下限温度値Ａにおける目標温湿度範囲ＡＲ５の湿度の下限値の絶対湿度換算値である下限絶対湿度値Ｃａを絶対湿度目標値に決定する。この場合、制御信号が通信部６１に送信されることで、空調機２０では温度目標値を下限温度値Ａとした暖房運転が実行され、外調機３０では絶対湿度目標値を下限絶対湿度値Ｃａとした加湿換気運転が実行される。この結果、加湿換気運転により、判定時よりも絶対湿度の高い空気（外気）が屋内に供給されるため、内気絶対湿度を快適湿度範囲内に導くことができる。また、加湿換気運転により下限温度値Ａよりも温度の低い外気が屋内に供給されても、暖房運転により内気温度を上げることができるため、内気温度を快適温度範囲内に導くことができる。これにより、屋内の環境を、目標温湿度範囲ＡＲ５内に導くことができる。
【００８７】
現在の外気温度値及び現在の外気絶対湿度値が範囲ＡＲ９にある場合（図６中のＰ９参照）、空調制御部６３は、空調機２０の運転モードを冷房運転に決定し、外調機３０の運転モードを加湿換気運転に決定する。また、空調制御部６３は、上限温度値Ｂを温度目標値に決定し、上限温度値Ｂにおける目標温湿度範囲ＡＲ５の湿度の下限値の絶対湿度換算値である下限絶対湿度値Ｃｂを絶対湿度目標値に決定する。この場合、制御信号が通信部６１に送信されることで、空調機２０では温度目標値を下限温度値Ｂとした冷房運転が実行され、外調機３０では絶対湿度目標値を下限絶対湿度値Ｃｂとした加湿換気運転が実行される。この結果、加湿換気運転により、判定時よりも絶対湿度の高い空気（外気）が屋内に供給されるため、内気絶対湿度を快適湿度範囲内に導くことができる。また、加湿換気運転により上限温度値Ｂより温度の高い外気が屋内に供給されても、冷房運転により内気温度を下げることができるため、内気温度を快適温度範囲内に導くことができる。これにより、屋内の環境を、目標温湿度範囲ＡＲ５内に導くことができる。
【００８８】
なお、本実施形態では、特定部６６は、所定時間毎に現在の外気温度値及び現在の外気絶対湿度値を特定する。また、空調制御部６３は、特定部６６によって現在の外気温度値及び現在の外気絶対湿度値が特定される毎に決定したいずれの範囲ＡＲ１〜ＡＲ９に現在の外気温度値及び現在の外気絶対湿度値があるかを判定し、判定結果に基づいて空調機２０及び外調機３０の運転内容を決定する自動制御を行う。前記所定時間は、５分〜６０分であることが好ましい。
【００８９】
（４）外調機による各種運転
次に、外調機３０による除湿換気運転、加湿換気運転及び換気運転について説明する。外調機３０では、空調制御装置６０から送信される制御信号に基づいて外調機制御部３９が外調機３０の備える各種機器を制御することで、各種運転が実行される。また、除湿換気運転、加湿換気運転及び換気運転では、外調機３０の備える給気ファン及び排気ファンが駆動されることで、屋外空気ＯＡが外気吸入口を介して外調機３０内に吸入されて給気口を介して室内空間に供給され、屋内空気ＲＡが内気吸入口を介して外調機３０内に吸入されて排気口を介して排気空気ＥＡとして屋外に排出される運転が行われる。
【００９０】
ここで、除湿換気運転中の動作について説明する。除湿換気運転中には、第１熱交換器３４が凝縮器となって第２熱交換器３５が蒸発器となる第１動作と、第２熱交換器３５が凝縮器となって第１熱交換器３４が蒸発器となる第２動作とが交互に繰り返される。
【００９１】
具体的には、第１動作では、第１熱交換器３４についての再生動作と、第２熱交換器３５についての吸着動作とが並行して行われる。第１動作中は、四路切換弁３２が図２に示す実線の状態に切り換えられる。この状態で、圧縮機３１から吐出された高圧のガス冷媒は、四路切換弁３２を介して第１熱交換器３４に流入し、第１熱交換器３４を通過する間に凝縮する。そして、凝縮された冷媒は、膨張弁３３で減圧されて、その後、第２熱交換器３５を通過する間に蒸発し、四路切換弁３２を介して圧縮機３１に再び吸入される。
【００９２】
また、第１動作（図２（ａ）参照）中において、第１熱交換器３４では、冷媒の凝縮により加熱された吸着剤から水分が脱離し、この脱離した水分が内気吸入口から吸入された屋内空気ＲＡに付与される。第１熱交換器３４から脱離した水分は、屋内空気ＲＡに同伴して排気口を通じて排気空気ＥＡとして屋外へ排出される。また、第２熱交換器３５では、屋外空気ＯＡ中の水分が吸着剤に吸着されて屋外空気ＯＡが除湿され、その際に生じた吸着熱が冷媒に吸熱されて冷媒が蒸発する。そして、第２熱交換器３５で除湿された屋外空気ＯＡは、給気口を通って供給空気ＳＡとして室内空間へ供給される。
【００９３】
第２動作では、第１熱交換器３４についての吸着動作と、第２熱交換器３５についての再生動作とが並行して行われる。第２動作中は、四路切換弁３２が図２に示す破線の状態に切り換えられる。この状態で、圧縮機３１から吐出された高圧のガス冷媒は、四路切換弁３２を介して第２熱交換器３５に流入し、第２熱交換器３５を通過する間に凝縮する。そして、凝縮された冷媒は、膨張弁３３で減圧されて、その後、第１熱交換器３４を通過する間に蒸発し、四路切換弁３２を介して圧縮機３１に再び吸入される。
【００９４】
第２動作（図２（ｂ）参照）中において、第２熱交換器３５では、冷媒の凝縮により加熱された吸着剤から水分が脱離し、この脱離した水分が内気吸入口から吸入された屋内空気ＲＡに付与される。第２熱交換器３５から脱離した水分は、屋内空気ＲＡに同伴して排気口を通じて排気空気ＥＡとして屋外へ排出される。また、第１熱交換器３４では、屋外空気ＯＡ中の水分が吸着剤に吸着されて屋外空気ＯＡが除湿され、その際に生じた吸着熱が冷媒に吸熱されて冷媒が蒸発する。そして、第１熱交換器３４で除湿された屋外空気ＯＡは、給気口を通って供給空気ＳＡとして室内空間へ供給される。
【００９５】
次に、加湿換気運転中の動作について説明する。加湿換気運転中には、第１熱交換器３４が凝縮器となって第２熱交換器３５が蒸発器となる第１動作と、第２熱交換器３５が凝縮器となって第１熱交換器３４が蒸発器となる第２動作とが交互に繰り返される。以下、第１動作及び第２動作中における冷媒回路内の冷媒の流れは、上述の除湿換気運転と同様であるため、説明を省略し、第１動作及び第２動作中における空気の流れについてのみ説明する。
【００９６】
第１動作（図３（ａ）参照）中において、第１熱交換器３４では、冷媒の凝縮により加熱された吸着剤から水分が脱離し、この脱離した水分が外気吸入口から吸入された屋外空気ＯＡに付与される。第１熱交換器３４から脱離した水分は、屋外空気ＯＡに同伴して給気口を通じて供給空気ＳＡとして室内空間に供給される。また、第２熱交換器３５では、屋内空気ＲＡ中の水分が吸着剤に吸着されて屋内空気ＲＡが除湿され、その際に生じた吸着熱が冷媒に吸熱されて冷媒が蒸発する。そして、第２熱交換器３５で除湿された屋内空気ＲＡは、排気口を通って排気空気ＥＡとして屋外へ排出される。
【００９７】
第２動作（図３（ｂ）参照）中において、第２熱交換器３５では、冷媒の凝縮により加熱された吸着剤から水分が脱離し、この脱離した水分が外気吸気口から吸入された屋外空気ＯＡに付与される。第２熱交換器３５から脱離した水分は、屋外空気ＯＡに同伴して給気口を通じて供給空気ＳＡとして室内空間に供給される。また、第１熱交換器３４では、屋内空気ＲＡ中の水分が吸着剤に吸着されて屋内空気ＲＡが除湿され、その際に生じた吸着熱が冷媒に吸熱されて冷媒が蒸発する。そして、第１熱交換器３４で除湿された屋内空気ＲＡは、排気口を通って排気空気ＥＡとして屋外へ排出される。
【００９８】
次に、換気運転中の動作について説明する。換気運転中には、圧縮機３１が駆動されない状態で、屋外空気ＯＡが供給空気ＳＡとして室内空間に供給され、屋内空気ＲＡが排気空気ＥＡとして屋外に排出される。このため、換気運転中には、積極的な除湿や加湿の行われていない屋外空気ＯＡが供給空気ＳＡとして室内空間に供給される。
【００９９】
（５）空調機による各種運転
次に、空調機２０による暖房運転、冷房運転及び送風運転について説明する。空調機２０では、空調制御装置６０から送信される制御信号に基づいて室内制御部２５及び室外制御部２９が空調機２０の備える各種機器を制御することで、各種運転が実行される。また、暖房運転及び冷房運転では、室内ファンが駆動されることで、屋内空気ＲＡが室内ユニット２１内に吸入されて熱交換が行われ、熱交換された屋内空気ＲＡが室内空間に供給される運転が行われる。
【０１００】
暖房運転中には、室内熱交換器２４が凝縮器として機能し室外熱交換器２８が蒸発器として機能するように、四路切換弁２７が図４に示す破線の状態に切り換えられる。この状態で、圧縮機２６から吐出された高圧のガス冷媒は、四路切換弁２７を介して室内熱交換器２４に流入し、室内熱交換器２４を通過する間に凝縮する。そして、凝縮された冷媒は、室外膨張弁２５ｂで減圧されて、その後、室外熱交換器２８を通過する間に蒸発し、四路切換弁２７を介して圧縮機２６に再び吸入される。また、このとき、室内ファンが駆動されることで、屋内空気ＲＡが室内ユニット２１内に吸入されて熱交換が行われ、熱交換された暖かい空気が室内空間に供給される。
【０１０１】
また、冷房運転中には、室外熱交換器２８が凝縮器として機能し室内熱交換器２４が蒸発器として機能するように、四路切換弁２７が図４に示す実線の状態に切り換えられる。この状態で、圧縮機２６から吐出された高圧のガス冷媒は、四路切換弁２７を介して室外熱交換器２８に流入し、室外熱交換器２８を通過する間に凝縮する。そして、凝縮された冷媒は、室内膨張弁２５ａで減圧されて、その後、室内熱交換器２４を通過する間に蒸発し、四路切換弁２７を介して圧縮機２６に再び吸入される。また、このとき、室内ファンが駆動されることで、屋内空気ＲＡが室内ユニット２１内に吸入されて熱交換が行われ、熱交換された冷たい空気が室内空間に供給される。
【０１０２】
また、送風運転中には、圧縮機２６が駆動されない状態で、室内ファンが駆動されることで、室内ユニット２１内に吸入された屋内空気ＲＡが、室内空間に供給される。このため、送風運転中には、積極的な熱交換の行われていない空気が室内空間に供給される。
【０１０３】
（６）特徴
（６−１）
室内空間の温度を調整可能な空調機２０と室内空間の湿度を調整可能な外調機３０とによって、換気の行われる室内空間の環境が所定の温湿度範囲内に導かれるように室内空間の空気の温度及び湿度を調整しようとする場合、従来の空調機２０の制御内容は、室内空間の空気の温度が所定の温湿度範囲の温度の上限値よりも高い場合には冷房運転を行い、室内空間の空気の温度が所定の温湿度範囲の温度の下限値よりも低い場合には暖房運転を行い、室内空間の空気の温度が所定の温湿度範囲の温度の上限値から下限値の間にある場合にはサーモオフして送風運転を行うというものであり、従来の外調機３０の制御内容は、室内空間の空気の湿度が所定の温湿度範囲の温度の上限値における絶対湿度換算値の最大値よりも高い場合には除湿換気運転を行い、室内空間の空気の湿度が所定の温湿度範囲の温度の下限値における絶対湿度換算値の最小値よりも低い場合には加湿換気運転を行い、室内空間の空気の湿度が所定の温湿度範囲の温度の上限値における絶対湿度換算値の最大値又は所定の温湿度範囲の温度の下限値における絶対湿度換算値の最小値に到達した場合には換気運転を行うというものである。さらに、従来では、空調機２０に対する目標として、所定の温湿度範囲の温度の上限値又は下限値が温度目標値に決定され、外調機３０に対する目標として、所定の温湿度範囲の温度の上限値における絶対湿度換算値の最大値、所定の温湿度範囲の温度の上限値における絶対湿度換算値の最小値、所定の温湿度範囲の温度の下限値における絶対湿度換算値の最大値、又は、所定の温湿度範囲の温度の下限値における絶対湿度換算値の最小値が湿度目標値に決定される。
【０１０４】
例えば、図８に示すように、所定の温湿度範囲ＡＲ５の温度の下限値ａにおける湿度の上限値を上限値ｄａとし、所定の温湿度範囲ＡＲ５の温度の下限値ａにおける湿度の下限値を下限値ａｃとし、所定の温湿度範囲ＡＲ５の温度の上限値ｂにおける湿度の上限値を上限値ｄｂとし、所定の温湿度範囲ＡＲ５の温度の上限値ｂにおける湿度の下限値を下限値ｃｂとした場合、空調機２０に対する目標温度値が下限値ａ又は上限値ｂに決定され、外調機３０に対する目標湿度値が上限値ｄａ，下限値ａｃ，上限値ｄｂ，下限値ｃｂのいずれかに決定される。
【０１０５】
そして、目標温度値が上限値ｂに決定され、目標湿度値が上限値ｄｂに決定された場合であって、室内空間の温度及び湿度がＡＲ３にある場合（図８中のＰ３参照）には、空調機２０が冷房運転を行い、外調機３０が除湿換気運転を行うことで、室内空間の環境（温度及び湿度）を目標温度値及び目標湿度値に到達させることができる。しかしながら、目標温度値が上限値ｂに決定され、目標湿度値が上限値ｄｂに決定された場合であって、室内空間の温度及び湿度が図８に示すＡＲ２のＰ２にある場合には、室内空間の温度が所定の温湿度範囲ＡＲ５の温度の上限値ｂから下限値ａの間にあるため、空調機２０では送風運転が行われる。一方、外調機３０では、室内空間の空気の絶対湿度が、目標湿度値である上限値ｄｂに到達するまでは除湿換気運転が行われ、上限値ｄｂに到達した後には換気運転に切り換わるため、外気の温度及び湿度が所定の温湿度範囲ＡＲ５内にない限り、室内空間の温度及び湿度を所定の温湿度範囲ＡＲ５内に導くことができない。
【０１０６】
また、室内空間の温度及び湿度が図８に示すＡＲ２のＰ２にある場合には、目標温度値を下限値ａに決定し、目標湿度値を下限値ａｃに決定することで、室内空間の環境を所定の温湿度範囲ＡＲ５内に導くことができるが、所定の温湿度範囲ＡＲ５内で最もエネルギーの必要な目標温度及び目標湿度であるため、エネルギー消費量が増加してしまう。
【０１０７】
そこで、本実施形態では、自動制御において、現在の外気温度値及び現在の外気湿度値のみに基づいて、空調機２０及び外調機３０の運転モードが決定されている。このため、換気によって室内空間に取り入れられる外気の温度や湿度の環境に応じた制御を行うことができる。したがって、換気によって室内空間に外気が取り入れられても、外気の温度及び湿度に基づいて空調機の制御内容が決定されるため、室内空間の環境を、目標温湿度範囲ＡＲ５内に導くことができる。このように、外気の温度及び湿度に応じて空気調和装置１０の制御を適切に切り換えることで、室内空間の環境を、目標温湿度範囲ＡＲ５内に導くことができる。
【０１０８】
これによって、ユーザの快適性が損なわれないようにすることができる。
【０１０９】
さらに、本実施形態では、自動制御において、現在の外気温度値及び現在の外気絶対湿度値の少なくともいずれか一方が目標温湿度範囲ＡＲ５内にない場合、すなわち、現在の外気温度値及び現在の外気絶対湿度値が、範囲ＡＲ１，範囲ＡＲ２，範囲ＡＲ３，範囲ＡＲ４，範囲ＡＲ６，範囲ＡＲ７，範囲ＡＲ８，範囲ＡＲ９のいずれかにある場合には、各範囲に応じた目標温度値及び目標絶対湿度値の少なくともいずれか一方が決定される。
【０１１０】
また、本実施形態では、自動制御において、現在の外気温度値が目標温湿度範囲ＡＲ５内にあり、現在の外気絶対湿度値が目標温湿度範囲ＡＲ５内にないとき、すなわち、現在の外気温度値が下限温度値Ａから上限温度値Ｂの間にあり、かつ、現在の外気絶対湿度値が目標温湿度範囲ＡＲ５の湿度の上限値よりも大きいとき、或いは、現在の外気絶対湿度値が目標温湿度範囲ＡＲ５の湿度の下限値よりも小さいときは、現在の外気温度値及び現在の外気絶対湿度値に基づいて、目標絶対湿度値が決定されている。具体的には、現在の外気温度値及び現在の外気絶対湿度値が範囲ＡＲ２にある場合、空調制御部６３は、絶対湿度目標値を、現在の外気温度値に対する上限相対湿度値Ｄを絶対湿度に換算した値である外気温度値Ｘにおける絶対湿度の上限値Ｄｘに決定する。上限相対湿度値Ｄは、下限相対湿度値Ｃよりも現在の外気絶対湿度値に近い値である。また、現在の外気温度値及び現在の外気絶対湿度値が範囲ＡＲ８にある場合、空調制御部６３は、絶対湿度目標値を、現在の外気温度値に対する下限相対湿度値Ｃを絶対湿度に換算した値である外気温度値Ｘにおける絶対湿度の下限値Ｃｘに決定する。下限相対湿度値Ｃは、上限相対湿度値Ｄよりも現在の外気絶対湿度値に近い値である。このように、現在の外気温度値及び現在の外気絶対湿度値に基づいて、絶対湿度目標値が決定され、外調機３０及び空調機２０が制御されるため、換気によって室内空間に屋外空気が取り入れられても、ユーザの快適性が損なわれるおそれを低減することができる。
【０１１１】
また、絶対湿度目標値が、現在の外気温度値に対する快適湿度範囲の上限値である上限相対湿度値Ｄあるいは下限値である下限相対湿度値Ｃのうちのいずれか近い方の値に決定されているため、例えば、現在の外気温度値や現在の外気絶対湿度値に関係なく絶対湿度目標値が決定される場合と比較して、省エネルギーを実現することができている。
【０１１２】
（６−２）
本実施形態では、現在の外気温度値が目標温湿度範囲ＡＲ５の温度の下限値である下限温度値Ａから目標温湿度範囲ＡＲ５の温度の上限値である上限温度値Ｂまでの間になく、かつ、外気絶対湿度値が、下限温度値Ａ又は上限温度値Ｂに対する目標温湿度範囲ＡＲ５の湿度の上限値である上限絶対湿度値Ｄａ又は上限絶対湿度値Ｄｂよりも大きいとき、或いは、下限温度値Ａ又は上限温度値Ｂに対する目標温湿度範囲ＡＲ５の湿度の下限値である下限絶対湿度値Ｃａ又は下限絶対湿度値Ｃｂよりも小さいとき、すなわち、現在の外気温度値及び現在の外気絶対湿度値が範囲ＡＲ１，範囲ＡＲ３，範囲ＡＲ７，範囲ＡＲ９のいずれかにある場合には、現在の外気温度値に基づいて目標温度値が決定され、現在の外気絶対湿度値に基づいて目標絶対湿度値が決定されている。具体的には、現在の外気温度値及び現在の外気絶対湿度値が範囲ＡＲ１にある場合、空調制御部６３は、下限温度値Ａを温度目標値に決定し、上限絶対湿度値Ｄａを絶対湿度目標値に決定する。現在の外気温度値及び現在の外気絶対湿度値が範囲ＡＲ３にある場合、空調制御部６３は、上限温度値Ｂを温度目標値に決定し、上限絶対湿度値Ｄｂを絶対湿度目標値に決定する。現在の外気温度値及び現在の外気絶対湿度値が範囲ＡＲ７にある場合、空調制御部６３は、下限温度値Ａを温度目標値に決定し、下限絶対湿度値Ｃａを絶対湿度目標値に決定する。現在の外気温度値及び現在の外気絶対湿度値が範囲ＡＲ９にある場合、空調制御部６３は、上限温度値Ｂを温度目標値に決定し、下限絶対湿度値Ｃｂを絶対湿度目標値に決定する。このように、現在の外気温度値及び現在の外気絶対湿度値に基づいて温度目標値及び絶対湿度目標値を決定することができるため、換気によって室内空間に外気が取り入れられても、ユーザの快適性が損なわれるおそれを低減することができる。
【０１１３】
また、現在の外気温度値及び現在の外気絶対湿度値が範囲ＡＲ１にある場合、下限温度値Ａは上限温度値Ｂよりも現在の外気温度値に近い値である。また、現在の外気温度値及び現在の外気絶対湿度値が範囲ＡＲ１にある場合、上限絶対湿度値Ｄａは、下限絶対湿度値Ｃａよりも現在の外気絶対湿度に近い値である。現在の外気温度値及び現在の外気絶対湿度値が範囲ＡＲ３にある場合、上限温度値Ｂは下限温度値Ａよりも現在の外気温度値に近い値である。また、現在の外気温度値及び現在の外気絶対湿度値が範囲ＡＲ３にある場合、上限絶対湿度値Ｄｂは、下限絶対湿度値Ｃｂよりも現在の外気絶対湿度に近い値である。現在の外気温度値及び現在の外気絶対湿度値が範囲ＡＲ７にある場合、下限温度値Ａは上限温度値Ｂよりも現在の外気温度値に近い値である。また、現在の外気温度値及び現在の外気絶対湿度値が範囲ＡＲ７にある場合、下限絶対湿度値Ｃａは、上限絶対湿度値Ｄａよりも現在の外気絶対湿度に近い値である。現在の外気温度値及び現在の外気絶対湿度値が範囲ＡＲ９にある場合、上限温度値Ｂは下限温度値Ａよりも現在の外気温度値に近い値である。また、現在の外気温度値及び現在の外気絶対湿度値が範囲ＡＲ９にある場合、下限絶対湿度値Ｃｂは、上限絶対湿度値Ｄｂよりも現在の外気絶対湿度に近い値である。このため、例えば、現在の外気温度値や現在の外気絶対湿度値に関係なく温度目標値及び絶対湿度目標値が決定される場合と比較して、省エネルギーを実現することができている。
【０１１４】
（６−３）
本実施形態では、現在の外気温度値が目標温湿度範囲ＡＲ５の温度の下限値である下限温度値Ａから目標温湿度範囲ＡＲ５の温度の上限値である上限温度値Ｂまでの間になく、かつ、外気絶対湿度値が、下限温度値Ａに対する目標温湿度範囲ＡＲ５の湿度の下限値である下限絶対湿度値Ｃａから下限温度値Ａに対する目標温湿度範囲ＡＲ５の湿度の上限値である上限絶対湿度値Ｄａの間にあるとき、或いは、上限温度値Ｂに対する目標温湿度範囲ＡＲ５の湿度の下限値である下限絶対湿度値Ｃｂから上限温度値Ｂに対する目標温湿度範囲ＡＲ５の湿度の上限値である上限絶対湿度値Ｃａの間にある場合には、温度目標値が、下限温度値Ａ或いは上限温度値Ｂのうち現在の外気温度値に近い方の値に決定される。具体的には、現在の外気温度値及び現在の外気絶対湿度値が範囲ＡＲ４にある場合、空調制御部６３は、上限温度値Ｂを温度目標値に決定し、空調機２０の運転モードを冷房運転に決定し、外調機３０の運転モードを換気運転に決定する。また、現在の外気温度値及び現在の外気絶対湿度値が範囲ＡＲ６にある場合、空調制御部６３は、下限温度値Ａを温度目標値に決定し、空調機２０の運転モードを暖房運転に決定し、外調機３０の運転モードを換気運転に決定する。このように、現在の外気温度値及び現在の外気絶対湿度値に基づいて空調機及び外調機の運転モードや温度目標値を決定することができるため、室内空間の環境を、目標温湿度範囲ＡＲ５内に導くことができる。
【０１１５】
また、現在の外気温度値及び現在の外気絶対湿度値が範囲ＡＲ４にある場合、上限温度値Ｂは下限温度値Ａよりも現在の外気温度値に近い値である。さらに、現在の外気温度値及び現在の外気絶対湿度値が範囲ＡＲ６にある場合、下限温度値Ａは上限温度値Ｂよりも現在の外気温度値に近い値である。このように、目標温度値が、現在の外気温度値及び現在の外気絶対湿度値に基づいて決定されることで、現在の外気温度値や現在の外気絶対湿度値に関係なく温度目標値が決定される場合と比較して、省エネルギーを実現することができている。
【０１１６】
（６−４）
本実施形態では、特定部６６によって現在の外気温度値及び現在の外気絶対湿度値が特定される毎、すなわち、所定時間毎に、空調制御部６３による自動制御が行われている。このため、換気によって室内空間に取り入れられる屋外空気の温度や湿度の変化に応じて空調機２０や外調機３０の運転モード等を決定することができている。
【０１１７】
（６−５）
本実施形態では、現在の外気温度値及び現在の外気絶対湿度値が範囲ＡＲ１、範囲ＡＲ２あるいは範囲ＡＲ３にある場合、すなわち、現在の外気絶対湿度値が現在の外気温度値に対する上限相対湿度値Ｄよりも大きい場合には、外調機３０において除湿換気運転が行われている。これにより、現在の外気絶対湿度値が目標温湿度範囲ＡＲ５すなわち快適湿度範囲の上限相対湿度値Ｄよりも大きい場合には、除湿された空気が供給空気ＳＡとして室内空間に供給されるため、室内空間の環境を目標温湿度範囲ＡＲ５内に導きやすくすることができている。
【０１１８】
また、本実施形態では、現在の外気温度値及び現在の外気絶対湿度値が範囲ＡＲ７、範囲ＡＲ８あるいは範囲ＡＲ９にある場合、すなわち、現在の外気絶対湿度値が現在の外気温度値に対する下限相対湿度値Ｃよりも小さい場合には、外調機３０において加湿換気運転が行われている。これにより、現在の外気絶対湿度値が目標温湿度範囲ＡＲ５すなわち快適湿度範囲の下限相対湿度値Ｃよりも小さい場合には、加湿された空気が供給空気ＳＡとして室内空間に供給されるため、室内空間の環境を目標温湿度範囲ＡＲ５内に導きやすくすることができている。
【０１１９】
（６−６）
本実施形態では、温度目標値及び絶対湿度目標値が、外気温度値あるいは外気絶対湿度値に応じて決定されているため、省エネルギーを実現することができ、かつ、室内空間の環境を目標温湿度範囲内に導くことができる。
【０１２０】
（６−７）
本実施形態では、室内空間の環境の目標を、１点ではなく、範囲（本実施形態における目標温湿度範囲ＡＲ５）として設定し、空調機２０及び外調機３０を制御している。また、設定した目標温湿度範囲ＡＲ５に基づいて複数の範囲ＡＲ１，ＡＲ２，ＡＲ３，ＡＲ４，ＡＲ６，ＡＲ７，ＡＲ８，ＡＲ９を更に決定し、現在の屋外の環境が、決定した複数の範囲ＡＲ１，ＡＲ２，ＡＲ３，ＡＲ４，ＡＲ５，ＡＲ６，ＡＲ７，ＡＲ８，ＡＲ９のいずれの範囲にあるかを特定し、特定した範囲に応じて空調機２０及び外調機３０の制御内容を決定している。
【０１２１】
（７）変形例
（７−１）変形例１Ａ
上記実施形態では、現在の外気温度値及び現在の外気絶対湿度値が範囲ＡＲ２あるいは範囲ＡＲ８にある場合には、空調機２０の運転モードが送風運転に決定されている。これに代えて、現在の外気温度値及び現在の外気絶対湿度値が範囲ＡＲ２あるいは範囲ＡＲ８にある場合には、空調機２０の運転が停止されてもよい。すなわち、現在の外気温度値及び現在の外気絶対湿度値が範囲ＡＲ２あるいは範囲ＡＲ８にある場合には、圧縮機２６及び室内ファンが駆動されなくてもよい。
【０１２２】
（７−２）変形例１Ｂ
上記実施形態では、快適温度範囲は、ユーザが上限温度値Ｂと下限温度値Ａとを入力することで設定されており、快適湿度範囲は、ユーザが上限相対湿度値Ｄと下限相対湿度値Ｃとを入力することで設定されている。しかしながら、快適温度範囲及び快適湿度範囲の設定方法はこれに限定されない。例えば、快適温度Ｅと温度許容範囲±Ｆとがユーザによって入力されることで快適温度範囲が設定され、快適湿度Ｇと湿度許容範囲±Ｈとがユーザによって入力されることで快適湿度範囲が設定されてもよい。
【０１２３】
＜第２実施形態＞
本発明の第２実施形態に係る空調制御装置１６０について説明する。なお、空調制御装置１６０以外の構成は、第１実施形態と同様の構成であるため、ここでは、（３）空調制御装置１６０についてのみ説明を行い、空調制御装置１６０以外の構成である（１）外調機及び（２）空調機については説明を省略する。また、本実施形態においては、外調機３０の運転及び空調機２０の運転についても第１実施形態と同様の運転であるため、（４）外調機による各種運転及び（５）空調機による各種運転についての説明を省略する。
【０１２４】
（３）空調制御装置
空調制御装置１６０は、図９に示すように、制御部１６５と、入力部１６２とを備えている。なお、入力部１６２の構成は、第１実施形態と同様の構成であるため説明を省略する。また、制御部１６５の備える通信部１６１及び記憶部１６４の構成は、第１実施形態と同様の構成であるため説明を省略する。
【０１２５】
特定部１６６は、温度センサ２１ａによって検出される内気温度値を、現在の内気温度値として特定する。温度センサ２１ａは、室内ユニット２１の備えるセンサであって、内気温度値（屋内空気ＲＡの温度値）を検出する。また、温度センサ２１ａによって検出された内気温度値は、室内制御部２５を介して空調制御装置１６０に送信される。また、特定部１６６は、絶対湿度を検出する湿度センサ２１ｂによって検出された内気絶対湿度値を、現在の内気絶対湿度値として特定する。湿度センサ２１ｂは、室内ユニット２１の備えるセンサであって、内気絶対湿度値（屋内空気ＲＡの絶対湿度値）を検出する。また、湿度センサ２１ｂによって検出された内気絶対湿度値は、室内制御部２５を介して空調制御装置１６０に送信される。なお、本実施形態では、湿度センサ２１ｂは絶対湿度を検出するセンサであるが、例えば、湿度センサが相対湿度を検出するセンサである場合には、特定部によって、湿度センサによって検出される内気相対湿度値と温度センサによって検出される内気温度値とから絶対湿度値が算出され、算出された絶対湿度値が現在の内気絶対湿度値として特定されてもよい。
【０１２６】
空調制御部１６３は、快適温度範囲及び快適湿度範囲から目標温湿度範囲ＡＲ５を決定する。また、空調制御部１６３は、決定した目標温湿度範囲ＡＲ５内に室内空間の環境が導かれるように、空調機２０及び外調機３０を連携して制御する自動制御を行う。なお、空調制御部による目標温湿度範囲ＡＲ５を含む複数の温湿度範囲ＡＲ１〜ＡＲ９の決定手段は、第１実施形態と同様であるため説明を省略する（図１０参照）。
【０１２７】
空調制御部１６３は、自動制御において、特定部１６６によって特定された現在の内気温度値及び現在の内気絶対湿度値が、決定したいずれの範囲ＡＲ１〜ＡＲ９にあるかを判定（把握）する。そして、空調制御部１６３は、図１１に示すテーブルを参照して、現在の内気温度値及び現在の内気絶対湿度値を含む範囲に基づいて、外調機３０及び空調機２０の運転内容を選択し、選択した運転内容に基づいて外調機３０及び空調機２０の運転モード等を決定する。
【０１２８】
次に、空調制御部１６３が、外調機３０及び空調機２０の運転内容をどのように選択し、選択した運転内容に基づいて外調機３０及び空調機２０の運転モード等をどのように決定するかについて、図１１を用いて説明する。図１１は、外調機３０及び空調機２０の運転内容を、内気温度値及び内気絶対湿度値の位置する範囲毎に表したテーブルである。本実施形態に係る空調機２０の運転モードには、暖房運転、送風運転及び冷房運転が含まれる。また、本実施形態に係る外調機３０の運転モードには、除湿換気運転、換気運転及び加湿換気運転が含まれる。なお、図１１のテーブルは、空調制御部１６３の備える記憶部１６４に記憶されている。
【０１２９】
具体的には、空調制御部１６３は、特定部１６６によって特定された現在の内気温度値及び現在の内気絶対湿度値が目標温湿度範囲ＡＲ５内にあるか否かを判定する。また、空調制御部１６３は、特定部１６６によって特定された現在の内気温度値及び現在の内気絶対湿度値が目標温湿度範囲ＡＲ５内にない場合には、現在の内気温度値及び現在の内気絶対湿度値が決定した各範囲ＡＲ１〜ＡＲ９のいずれの範囲にあるかを更に判定する。次に、空調制御部１６３は、図１１のテーブル内から判定した範囲ＡＲ１〜ＡＲ９に応じた空調機２０及び外調機３０の運転モードを選択して抽出し、かつ、図１１のテーブル内から特定した範囲に応じた空調機２０及び外調機３０の目標温度及び目標絶対湿度を選択して抽出する。そして、空調制御部１６３は、抽出した各運転モードが行われるように制御信号を生成し、生成した制御信号を通信部１６１に送信する。また、空調制御部１６３は、抽出した目標温度の温度値を温度目標値に決定し、決定した温度目標値に関する信号を通信部１６１に送信するとともに、抽出した目標絶対湿度の絶対湿度値を絶対湿度目標値に決定し、決定した絶対湿度目標値に関する信号を通信部１６１に送信する。
【０１３０】
現在の内気温度値及び現在の内気絶対湿度値が範囲ＡＲ２にある場合（図１０中のＰ２参照）、空調制御部１６３は、空調機２０の運転モードを冷房運転あるいは暖房運転のいずれかに決定する。具体的には、空調制御部１６３は、温度センサ３７によって検出される外気温度値と現在の内気温度値とを比較して、内気温度値が外気温度値以上である場合には、空調機２０の運転モードを暖房運転に決定する。また、空調制御部１６３は、温度センサ３７によって検出される外気温度値と現在の内気温度値とを比較して、内気温度値が外気温度値未満である場合には、空調機２０の運転モードを冷房運転に決定する。また、空調制御部１６３は、外調機３０の運転モードを除湿換気運転に決定する。さらに、空調制御部１６３は、判定時すなわち現在の内気温度値を、温度目標値に決定する。また、空調制御部１６３は、判定時すなわち現在の内気温度値に対する上限相対湿度値Ｄを絶対湿度に換算した値を、目標絶対湿度に決定する。具体的には、空調制御部１６３は、現在の内気温度値を維持し、かつ、判定時すなわち内気絶対湿度値を上限湿度線ｈｄにシフトした値を絶対湿度目標値に決定する。より具体的には、図１０に示すように、現在の内気温度値をＹとすると、現在の内気温度値Ｙにおける目標温湿度範囲ＡＲ５の湿度の上限値に相当する絶対湿度値（以下、内気温度値Ｙにおける絶対湿度の上限値Ｄｙという）を絶対湿度目標値に決定する。この場合、制御信号が通信部１６１に送信されることで、空調機２０では目標温度を判定時の内気温度値Ｙとした冷房運転あるいは暖房運転が実行され、外調機３０では絶対湿度目標値を内気温度値Ｙにおける絶対湿度の上限値Ｄｙとした除湿換気運転が実行される。これにより、判定時の内気温度を維持しながら、内気絶対湿度を下げることができる。
【０１３１】
また、現在の内気温度値及び現在の内気絶対湿度値が範囲ＡＲ８にある場合（図１０中のＰ８参照）、空調制御部１６３は、空調機２０の運転モードを冷房運転あるいは暖房運転のいずれかに決定する。具体的には、空調制御部１６３は、温度センサ３７によって検出される外気温度値と現在の内気温度値とを比較して、内気温度値が外気温度値以上である場合には、空調機２０の運転モードを暖房運転に決定する。また、空調制御部１６３は、温度センサ３７によって検出される外気温度値と現在の内気温度値とを比較して、内気温度値が外気温度値未満である場合には、空調機２０の運転モードを冷房運転に決定する。また、空調制御部１６３は、外調機３０の運転モードを加湿換気運転に決定する。さらに、空調制御部１６３は、判定時すなわち現在の内気温度値を、温度目標値に決定する。また、空調制御部１６３は、判定時すなわち現在の内気温度値に対する下限相対湿度値Ｃを絶対湿度に換算した値を、目標絶対湿度に決定する。具体的には、空調制御部１６３は、現在の内気温度値を維持し、かつ、判定時すなわち内気絶対湿度値を下限湿度線ｈｃにシフトした値を絶対湿度目標値に決定する。より具体的には、図１０に示すように、現在の内気温度値をＹとすると、現在の内気温度値Ｙにおける目標温湿度範囲ＡＲ５の湿度の下限値に相当する絶対湿度値（以下、内気温度値Ｙにおける絶対湿度の下限値Ｃｙという）を絶対湿度目標値に決定する。この場合、制御信号が通信部１６１に送信されることで、空調機２０では目標温度を判定時の内気温度値Ｙとした冷房運転あるいは暖房運転が実行され、外調機３０では絶対湿度目標値を内気温度値Ｙにおける絶対湿度の下限値Ｃｙとした加湿換気運転が実行される。これにより、判定時の内気温度を維持しながら、内気絶対湿度を上げることができる。
【０１３２】
また、現在の内気温度値及び現在の内気絶対湿度値が範囲ＡＲ４にある場合（図１０中のＰ４参照）、空調制御部１６３は、空調機２０の運転モードを冷房運転に決定する。また、空調制御部１６３は、外調機３０の運転モードを加湿換気運転あるいは除湿換気運転のいずれかに決定する。具体的には、空調制御部１６３は、湿度センサ３８によって検出される外気絶対湿度値と現在の内気絶対湿度値とを比較して、内気絶対湿度値が外気絶対湿度値以上である場合には、外調機３０の運転モードを加湿換気運転に決定する。また、空調制御部１６３は、湿度センサ３８によって検出される外気絶対湿度値と現在の内気絶対湿度値とを比較して、内気絶対湿度値が外気絶対湿度値未満である場合には、外調機３０の運転モードを除湿換気運転に決定する。また、空調制御部１６３は、上限温度値Ｂを温度目標値に決定する。さらに、空調制御部１６３は、判定時すなわち現在の内気絶対湿度値を、目標絶対湿度に決定する。この場合、制御信号が通信部１６１に送信されることで、空調機２０では温度目標値を上限温度値Ｂとした冷房運転が実行され、外調機３０では目標絶対湿度を現在の内気絶対湿度値とした除湿換気運転あるいは加湿換気運転が実行される。これにより、判定時の内気絶対湿度を維持しながら、内気温度を下げることができる。
【０１３３】
また、現在の内気温度値及び現在の内気絶対湿度値が範囲ＡＲ６にある場合（図１０中のＰ６参照）、空調制御部１６３は、空調機２０の運転モードを暖房運転に決定する。また、空調制御部１６３は、外調機３０の運転モードを加湿換気運転あるいは除湿換気運転のいずれかに決定する。具体的には、空調制御部１６３は、湿度センサ３８によって検出される外気絶対湿度値と現在の内気絶対湿度値とを比較して、内気絶対湿度値が外気絶対湿度値以上である場合には、外調機３０の運転モードを加湿換気運転に決定する。また、空調制御部１６３は、湿度センサ３８によって検出される外気絶対湿度値と現在の内気絶対湿度値とを比較して、内気絶対湿度値が外気絶対湿度値未満である場合には、外調機３０の運転モードを除湿換気運転に決定する。また、空調制御部１６３は、下限温度値Ａを温度目標値に決定する。さらに、空調制御部１６３は、判定時すなわち現在の内気絶対湿度値を、目標絶対湿度に決定する。この場合、制御信号が通信部１６１に送信されることで、空調機２０では温度目標値を下限温度値Ａとした暖房運転が実行され、外調機３０では目標絶対湿度を現在の内気絶対湿度値とした除湿換気運転あるいは加湿換気運転が実行される。これにより、判定時の内気絶対湿度を維持しながら、内気温度を上げることができる。
【０１３４】
現在の内気温度値及び現在の内気絶対湿度値が目標温湿度範囲ＡＲ５にある場合、空調制御部１６３は、空調機２０の運転モードを冷房運転あるいは暖房運転に決定する。具体的には、空調制御部１６３は、温度センサ３７によって検出される外気温度値と現在の内気温度値とを比較して、内気温度値が外気温度値以上である場合には、空調機２０の運転モードを暖房運転に決定する。また、空調制御部１６３は、温度センサ３７によって検出される外気温度値と現在の内気温度値とを比較して、内気温度値が外気温度値未満である場合には、空調機２０の運転モードを冷房運転に決定する。また、空調制御部１６３は、外調機３０の運転モードを加湿換気運転あるいは除湿換気運転のいずれかに決定する。具体的には、空調制御部１６３は、湿度センサ３８によって検出される外気絶対湿度値と現在の内気絶対湿度値とを比較して、内気絶対湿度値が外気絶対湿度値以上である場合には、外調機３０の運転モードを加湿換気運転に決定する。また、空調制御部１６３は、湿度センサ３８によって検出される外気絶対湿度値と現在の内気絶対湿度値とを比較して、内気絶対湿度値が外気絶対湿度値未満である場合には、外調機３０の運転モードを除湿換気運転に決定する。また、空調制御部１６３は、判定時すなわち現在の内気温度値を、温度目標値に決定する。さらに、空調制御部１６３は、判定時すなわち現在の内気絶対湿度値を、目標絶対湿度に決定する。この場合、制御信号が通信部１６１に送信されることで、空調機２０では温度目標値を現在の内気温度値とした冷房運転あるいは暖房運転が実行され、外調機３０では目標絶対湿度を現在の内気絶対湿度値とした除湿換気運転あるいは加湿換気運転が実行される。これにより、判定時の内気温度及び判定時の内気絶対湿度を維持することができる。
【０１３５】
さらに、現在の内気温度値及び現在の内気絶対湿度値が範囲ＡＲ１にある場合（図１０中のＰ１参照）、空調制御部１６３は、空調機２０の運転モードを暖房運転に決定し、外調機３０の運転モードを除湿換気運転に決定する。また、空調制御部１６３は、下限温度値Ａを温度目標値に決定し、上限絶対湿度値Ｄａを絶対湿度目標値に決定する。この場合、制御信号が通信部１６１に送信されることで、空調機２０では温度目標値を下限温度値Ａとした暖房運転が実行され、外調機３０では絶対湿度目標値を上限絶対湿度値Ｄａとした除湿換気運転が実行される。また、現在の内気温度値及び現在の内気絶対湿度値が範囲ＡＲ３にある場合（図１０中のＰ３参照）、空調制御部１６３は、空調機２０の運転モードを冷房運転に決定し、外調機３０の運転モードを除湿換気運転に決定する。また、空調制御部１６３は、上限温度値Ｂを温度目標値に決定し、上限絶対湿度値Ｄｂを絶対湿度目標値に決定する。この場合、制御信号が通信部１６１に送信されることで、空調機２０では温度目標値を上限温度値Ｂとした冷房運転が実行され、外調機３０では絶対湿度目標値を上限絶対湿度値Ｄｂとした除湿換気運転が実行される。また、現在の内気温度値及び現在の内気絶対湿度値が範囲ＡＲ７にある場合（図１０中のＰ７参照）、空調制御部１６３は、空調機２０の運転モードを暖房運転に決定し、外調機３０の運転モードを加湿換気運転に決定する。また、空調制御部１６３は、下限温度値Ａを温度目標値に決定し、下限絶対湿度値Ｃａを絶対湿度目標値に決定する。この場合、制御信号が通信部１６１に送信されることで、空調機２０では温度目標値を下限温度値Ａとした暖房運転が実行され、外調機３０では絶対湿度目標値を下限絶対湿度値Ｃａとした加湿換気運転が実行される。また、現在の内気温度値及び現在の内気絶対湿度値が範囲ＡＲ９にある場合（図１０中のＰ９参照）、空調制御部１６３は、空調機２０の運転モードを冷房運転に決定し、外調機３０の運転モードを加湿換気運転に決定する。また、空調制御部１６３は、上限温度値Ｂを温度目標値に決定し、下限絶対湿度値Ｃｂを絶対湿度目標値に決定する。この場合、制御信号が通信部１６１に送信されることで、空調機２０では温度目標値を上限温度値Ｂとした冷房運転が実行され、外調機３０では絶対湿度目標値を下限絶対湿度値Ｃｂとした加湿換気運転が実行される。
【０１３６】
なお、本実施形態では、特定部１６６は、所定時間毎に現在の内気温度値及び現在の内気絶対湿度値を特定する。また、空調制御部１６３は、特定部１６６によって現在の内気温度値及び現在の内気絶対湿度値が特定される毎に決定したいずれの範囲ＡＲ１〜ＡＲ９に現在の内気温度値及び現在の内気絶対湿度値があるかを判定し、判定結果に基づいて空調機２０及び外調機３０の運転内容を決定する自動制御を行う。前記所定時間は、５分〜６０分であることが好ましい。
【０１３７】
（６）特徴
（６−１）
室内空間の温度を調整可能な空調機２０と室内空間の湿度を調整可能な外調機３０とによって、換気の行われる室内空間の環境が所定の温湿度範囲内に導かれるように室内空間の空気の温度及び湿度を調整しようとする場合、従来の空調機２０の制御内容は、室内空間の空気の温度が所定の温湿度範囲の温度の上限値よりも高い場合には冷房運転を行い、室内空間の空気の温度が所定の温湿度範囲の温度の下限値よりも低い場合には暖房運転を行い、室内空間の空気の温度が所定の温湿度範囲の温度の上限値から下限値の間にある場合にはサーモオフして送風運転を行うというものであり、従来の外調機３０の制御内容は、室内空間の空気の湿度が所定の温湿度範囲の温度の上限値における絶対湿度換算値の最大値よりも高い場合には除湿換気運転を行い、室内空間の空気の湿度が所定の温湿度範囲の温度の下限値における絶対湿度換算値の最小値よりも低い場合には加湿換気運転を行い、室内空間の空気の湿度が所定の温湿度範囲の温度の上限値における絶対湿度換算値の最大値又は所定の温湿度範囲の温度の下限値における絶対湿度換算値の最小値に到達した場合には換気運転を行うというものである。しかしながら、空調機２０及び外調機３０がこのように制御される場合、室内空間の環境及び屋外の環境によっては、室内空間の環境を所定の温湿度範囲内に導くことができないことがある。
【０１３８】
そこで、本実施形態では、現在の内気温度値及び現在の内気絶対湿度値のいずれか一方が目標温湿度範囲ＡＲ５内にないときは、現在の外気温度値又は現在の外気絶対湿度値に基づいて空調機２０及び外調機３０の制御内容が決定される。具体的には、現在の内気温度値及び現在の内気絶対湿度値が、範囲ＡＲ２、範囲ＡＲ４、範囲ＡＲ６及び範囲ＡＲ８のいずれかにある場合には、内気の温度や湿度だけでなく、換気によって室内空間に取り入れられる外気の温度や湿度の環境に応じた制御を行うことができる。このように、内気及び外気の温度や湿度に基づいて空調機２０及び外調機３０の制御内容が決定されるため、内気温度の環境を目標温湿度範囲ＡＲ５に導くことができる。
【０１３９】
これによって、ユーザの快適性が損なわれないようにすることができている。
【０１４０】
（６−２）
本実施形態では、現在の内気温度値が目標温湿度範囲ＡＲ５の温度の下限値である下限温度値Ａから目標温湿度範囲ＡＲ５の温度の上限値である上限温度値Ｂの間になく、現在の内気絶対湿度値が下限温度値Ａに対する目標温湿度範囲ＡＲ５の湿度の下限値である下限絶対湿度値Ｃａから下限温度値Ａに対する目標温湿度範囲ＡＲ５の湿度の上限値である上限絶対湿度値Ｄａの間にある場合、すなわち、現在の内気温度値及び現在の内気絶対湿度値が範囲ＡＲ６にある場合、又は、現在の内気温度値が目標温湿度範囲ＡＲ５の温度の下限値である下限温度値Ａから目標温湿度範囲ＡＲ５の温度の上限値である上限温度値Ｂの間になく、現在の内気絶対湿度値が上限温度値Ｂに対する目標温湿度範囲ＡＲ５の湿度の下限値である下限絶対湿度値Ｃｂから上限温度値Ｂに対する目標温湿度範囲ＡＲ５の湿度の上限値である上限絶対湿度値Ｄｂの間にある場合、すなわち、現在の内気温度値及び現在の内気絶対湿度値が範囲ＡＲ４にある場合には、現在の内気絶対湿度値が維持されるように、現在の外気絶対湿度値及び現在の内気絶対湿度値に基づいて外調機３０の制御内容が決定される。このように、外気絶対湿度値や内気絶対湿度値に基づいて外調機３０の制御内容が決定されるため、換気によって室内空間に外気が取り入れられても、室内空間の環境を目標温湿度範囲ＡＲ５内に導きやすくすることができる。
【０１４１】
（６−３）
本実施形態では、自動制御において、現在の内気温度値が目標温湿度範囲ＡＲ５の温度の下限値である下限温度値Ａから目標温湿度範囲ＡＲ５の温度の上限値である上限温度値Ｂの間にあり、現在の内気絶対湿度値が目標温湿度範囲ＡＲ５の湿度の上限値よりも大きい場合、すなわち、現在の内気温度値及び現在の内気絶対湿度値が範囲ＡＲ２にある場合、又は、現在の内気温度値が目標温湿度範囲ＡＲ５の温度の下限値である下限温度値Ａから目標温湿度範囲ＡＲ５の温度の上限値である上限温度値Ｂの間にあり、現在の内気絶対湿度値が目標温湿度範囲ＡＲ５の湿度の下限値よりも小さい場合、すなわち、現在の内気温度値及び現在の内気絶対湿度値が範囲ＡＲ８にある場合には、外気温度値と現在の内気温度値とを比較して、空調機２０の運転モードが冷房運転あるいは暖房運転に決定されている。このように、室内空間及び屋外の環境に応じて空調機２０が制御されることで、室内空間の環境を目標温湿度範囲ＡＲ５内に導きやすくすることができる。
【０１４２】
これによって、ユーザの快適性が損なわれるおそれを低減することができている。
【０１４３】
また、本実施形態では、内気温度値及び内気絶対湿度値が範囲ＡＲ２、ＡＲ４、ＡＲ５、ＡＲ６、ＡＲ８にある場合、すなわち、内気温度値や内気絶対湿度値に基づいて空調機２０や外調機３０の運転モードを決定すると、換気によって室内空間に取り込まれる屋外空気ＯＡの温度や湿度の影響が大きくなる場合には、外気温度あるいは外気絶対湿度に基づいて空調機２０及び外調機３０の運転モードが決定されている。このため、換気によって室内空間に取り込まれる屋外空気ＯＡの温度や湿度の影響が大きくなる場合であっても、室内空間の環境を目標温湿度範囲ＡＲ５内に導きやすくすることができる。
【０１４４】
これによって、ユーザの快適性が損なわれるおそれを低減することができる。
【０１４５】
さらに、本実施形態では、現在の内気温度値及び現在の内気絶対湿度値が範囲ＡＲ２にある場合、現在の内気温度値に対する上限相対湿度値Ｄを絶対湿度に換算した値である内気温度値Ｙにおける絶対湿度の上限値Ｄｙが目標絶対湿度に決定されている。また、現在の内気温度値及び現在の内気絶対湿度値が範囲ＡＲ８にある場合、現在の内気温度値に対する下限相対湿度値Ｃを絶対湿度に換算した値である内気温度値Ｙにおける絶対湿度の下限値Ｃｙが目標絶対湿度に決定されている。このように、絶対湿度目標値が、現在の内気温度値に対する快適湿度範囲の上限値である上限相対湿度値Ｄあるいは下限値である下限相対湿度値Ｃのうちのいずれか近い方の値に決定されているため、例えば、現在の内気温度値や現在の内気絶対湿度値に関係なく絶対湿度目標値が決定される場合と比較して、省エネルギーを実現することができている。
【０１４６】
（６−４）
本実施形態では、特定部１６６によって現在の内気温度値及び現在の内気絶対湿度値が特定される毎、すなわち、所定時間毎に、空調制御部１６３による自動制御が行われている。このため、換気によって室内空間に取り入れられる屋外空気の温度や湿度の変化に応じて空調機２０や外調機３０の運転モード等を決定することができている。
【０１４７】
（６−５）
本実施形態では、温度目標値及び絶対湿度目標値が内気温度値あるいは内気絶対湿度値に応じて決定されているため、省エネルギーを実現することができ、かつ、室内空間の環境を目標温湿度範囲内に導くことができる。
【０１４８】
（６−６）
本実施形態では、室内空間の環境の目標を、１点ではなく、範囲（本実施形態における目標温湿度範囲ＡＲ５）として設定し、空調機２０及び外調機３０を制御している。また、設定した目標温湿度範囲ＡＲ５に基づいて複数の範囲ＡＲ１，ＡＲ２，ＡＲ３，ＡＲ４，ＡＲ６，ＡＲ７，ＡＲ８，ＡＲ９を更に決定し、現在の室内空間の環境を、決定した複数の範囲ＡＲ１，ＡＲ２，ＡＲ３，ＡＲ４，ＡＲ５，ＡＲ６，ＡＲ７，ＡＲ８，ＡＲ９のいずれの範囲にあるかを特定し、特定した範囲に応じて空調機２０及び外調機３０の制御内容を決定している。
【０１４９】
（７）変形例
（７−１）変形例２Ａ
上記実施形態では、現在の内気温度値及び現在の内気絶対湿度値が範囲ＡＲ２、ＡＲ４、ＡＲ５、ＡＲ６、ＡＲ８にある場合には、外気温度値及び内気温度値を比較した結果に基づいて、空調機２０あるいは外調機３０の運転モードが決定されている。
【０１５０】
これに代えて、現在の内気温度値及び現在の内気絶対湿度値が範囲ＡＲ２、ＡＲ４、ＡＲ５、ＡＲ６、ＡＲ８にある場合には、外気温度値及び外気絶対湿度値に基づいて空調機２０あるいは外調機３０の運転モードが決定されてもよい。
【０１５１】
例えば、記憶部１６４に図１１のテーブル及び図１２のテーブルが記憶されており、特定部１６６によって、温度センサ２１ａによって検出される内気温度値が現在の内気温度値として特定され、湿度センサ２１ｂによって検出された内気絶対湿度値が現在の内気絶対湿度値として特定され、温度センサ３７によって検出される外気温度値が現在の外気温度値として特定され、湿度センサ３８によって検出される外気絶対湿度値が現在の外気絶対湿度値として特定される場合には、空調制御部１６３は、自動制御において、まず、現在の内気温度値及び現在の内気絶対湿度値が、決定した各範囲ＡＲ１〜ＡＲ９のいずれの範囲にあるかを判定する。そして、空調制御部１６３は、現在の内気温度値及び現在の内気湿度値が、範囲ＡＲ１、ＡＲ３、ＡＲ７、ＡＲ９にあると判定した場合には、第２実施形態と同様に、空調機２０及び外調機３０の運転モードを決定する（図１２参照）。また、空調制御部１６３は、現在の内気温度値及び現在の内気絶対湿度値が範囲ＡＲ２、ＡＲ４、ＡＲ５、ＡＲ６、ＡＲ８にあると判定した場合、現在の外気温度値及び現在の外気絶対湿度値が、決定した各範囲ＡＲ１〜ＡＲ９のいずれの範囲にあるかを更に判定する（図１２参照）。そして、空調制御部１６３は、現在の外気温度値及び現在の外気絶対湿度値があると判定した範囲ＡＲ１〜ＡＲ９に応じた空調機２０及び外調機３０の運転モードを図７のテーブル内から選択して抽出し、かつ、判定した範囲に応じた空調機２０及び外調機３０の目標温度及び目標絶対湿度を図７のテーブル内から選択して抽出する。そして、空調制御部１６３は、抽出した各運転モードが行われるように制御信号を生成し、生成した制御信号を通信部１６１に送信する。また、空調制御部１６３は、抽出した目標温度の温度値を温度目標値に決定し、決定した温度目標値に関する信号を通信部１６１に送信するとともに、抽出した目標絶対湿度の絶対湿度値を絶対湿度目標値に決定し、決定した絶対湿度目標値に関する信号を通信部１６１に送信する。
【０１５２】
このように、内気温度値や内気絶対湿度値に基づいて空調機２０や外調機３０の運転モードを決定すると、換気によって室内空間に取り込まれる屋外空気ＯＡの温度や湿度の影響が大きくなる場合（内気温度値及び内気絶対湿度値が範囲ＡＲ２、ＡＲ４、ＡＲ５、ＡＲ６、ＡＲ８にある場合）には、外気温度及び外気絶対湿度に基づいて空調機２０及び外調機３０の運転モード等が決定されることで、室内空間の環境を目標温湿度範囲内に導きやすくすることができる。
【０１５３】
これによって、ユーザの快適性が損なわれるおそれを低減することができる。
【０１５４】
（７−２）変形例２Ｂ
上記実施形態では、現在の内気温度値及び現在の内気絶対湿度値が範囲ＡＲ２、ＡＲ４、ＡＲ５、ＡＲ６、ＡＲ８にある場合には、外気の温度或いは湿度と内気の温度或いは湿度とを比較した結果に基づいて、空調機２０或いは外調機３０の運転モードが決定されている。
【０１５５】
これに代えて、現在の内気温度値及び現在の内気絶対湿度値が範囲ＡＲ１、ＡＲ２、ＡＲ４、ＡＲ５、ＡＲ６、ＡＲ８、ＡＲ９にある場合には、外気絶対湿度値に基づいて外調機３０の運転モードが決定されてもよい。
【０１５６】
例えば、記憶部１６４に図１３のテーブルが記憶されており、特定部１６６によって、温度センサ２１ａによって検出される内気温度値が現在の内気温度値として特定され、湿度センサ２１ｂによって検出された内気絶対湿度値が現在の内気絶対湿度値として特定され、湿度センサ３８によって検出される外気絶対湿度値が現在の外気絶対湿度値として特定される場合には、空調制御部１６３は、自動制御において、まず、現在の内気温度値及び現在の内気絶対湿度値が、決定した各範囲ＡＲ１〜ＡＲ９のいずれの範囲にあるかを判定する。
【０１５７】
次に、空調制御部１６３は、判定した各範囲ＡＲ１〜ＡＲ９に応じた空調機２０及び外調機３０の運転モードを図１３のテーブル内から選択して抽出し、かつ、空調機２０及び外調機３０の目標温度及び目標絶対湿度を図１３のテーブル内から選択して抽出する。そして、空調制御部１６３は、抽出した各運転モードが行われるように制御信号を生成し、生成した制御信号を通信部１６１に送信する。また、空調制御部１６３は、抽出した目標温度の温度値を温度目標値に決定し、決定した温度目標値に関する信号を通信部１６１に送信するとともに、抽出した目標絶対湿度の絶対湿度値を絶対湿度目標値に決定し、決定した絶対湿度目標値に関する信号を通信部１６１に送信する。
【０１５８】
具体的には、空調制御部１６３が、現在の内気温度値及び現在の内気絶対湿度値が範囲ＡＲ３にあると判定した場合（図１０中のＰ３参照）、空調制御部１６３は、空調機２０の運転モードを冷房運転に決定し、外調機３０の運転モードを除湿換気運転に決定する。また、空調制御部１６３は、上限温度値Ｂを温度目標値に決定し、上限絶対湿度値Ｄｂを絶対湿度目標値に決定する。この場合、制御信号が通信部１６１に送信されることで、空調機２０では温度目標値を上限温度値Ｂとした冷房運転が実行され、外調機３０では絶対湿度目標値を上限絶対湿度値Ｄｂとした除湿換気運転が実行される。また、空調制御部１６３が、現在の内気温度値及び現在の内気絶対湿度値が範囲ＡＲ７にあると判定した場合（図１０中のＰ７参照）、空調制御部１６３は、空調機２０の運転モードを暖房運転に決定し、外調機３０の運転モードを加湿換気運転に決定する。また、空調制御部１６３は、下限温度値Ａを温度目標値に決定し、下限絶対湿度値Ｃａを絶対湿度目標値に決定する。この場合、制御信号が通信部１６１に送信されることで、空調機２０では温度目標値を下限温度値Ａとした暖房運転が実行され、外調機３０では絶対湿度目標値を下限絶対湿度値Ｃａとした加湿換気運転が実行される。
【０１５９】
また、空調制御部１６３は、現在の内気温度値及び現在の内気絶対湿度値が、範囲ＡＲ１、ＡＲ２、ＡＲ４、ＡＲ５、ＡＲ６、ＡＲ８、ＡＲ９のいずれかにあると判定した場合、現在の外気絶対湿度値と、上限絶対湿度値Ｄａ，Ｄｂ、下限絶対湿度値Ｃａ，Ｃｂ、現在の内気温度値Ｙにおける絶対湿度の上限値Ｄｙ、或いは、現在の内気温度値Ｙにおける絶対湿度の下限値Ｃｙと、を比較する（図１３参照）。
【０１６０】
例えば、現在の内気温度値及び現在の内気絶対湿度値が範囲ＡＲ１にある場合（図１０中のＰ１参照）、空調制御部１６３は、空調機２０の運転モードを暖房運転に決定し、下限温度値Ａを温度目標値に決定する。
【０１６１】
さらに、空調制御部１６３は、現在の外気絶対湿度値と上限絶対湿度値Ｄａとを比較して、現在の外気絶対湿度値が、上限絶対湿度値Ｄａ以下の範囲、或いは、上限絶対湿度値Ｄａより大きい範囲のいずれに属するかを判定する。
【０１６２】
そして、空調制御部１６３は、現在の外気絶対湿度値が上限絶対湿度値Ｄａより大きい範囲に属すると判定した場合、すなわち、外気絶対湿度値が上限絶対湿度値Ｄａよりも大きい場合には、外調機３０の運転モードを除湿換気運転に決定し、上限絶対湿度値Ｄａを絶対湿度目標値に決定する。この場合、制御信号が通信部１６１に送信されることで、空調機２０では温度目標値を下限温度値Ａとした暖房運転が実行され、外調機３０では絶対湿度目標値を上限絶対湿度値Ｄａとした除湿換気運転が実行される。この結果、除湿換気運転により判定時の内気絶対湿度よりも絶対湿度の低い空気（外気）が屋内に供給されるため、内気絶対湿度を快適湿度範囲内に導くことができる。また、暖房運転により内気温度を上げることができるため、内気温度を快適温度範囲内に導くことができる。これにより、屋内の環境を、目標温湿度範囲ＡＲ５内に導くことができる。
【０１６３】
一方、現在の外気絶対湿度値が上限絶対湿度値Ｄａ以下の範囲に属すると判定した場合、すなわち、外気絶対湿度値が上限絶対湿度値Ｄａ以下である場合には、空調制御部１６３は、外調機３０の運転モードを換気運転に決定する。この場合、制御信号が通信部１６１に送信されることで、空調機２０では温度目標値を下限温度値Ａとした暖房運転が実行され、外調機３０では換気運転が実行される。この結果、換気運転により判定時の内気絶対湿度よりも絶対湿度の低い空気（外気）が屋内に供給されるため、内気絶対湿度を快適湿度範囲内に導くことができる。また、暖房運転により内気温度を上げることができるため、内気温度を快適温度範囲内に導くことができる。これにより、屋内の環境を、目標温湿度範囲ＡＲ５内に導くことができる。
【０１６４】
また、現在の内気温度値及び現在の内気絶対湿度値が範囲ＡＲ２にある場合（図１０中のＰ２参照）、空調制御部１６３は、空調機２０の運転モードを送風運転に決定する。
【０１６５】
さらに、空調制御部１６３は、現在の外気絶対湿度値と現在の内気温度値Ｙにおける絶対湿度の上限値Ｄｙとを比較して、外気絶対湿度値が、現在の内気温度値Ｙにおける絶対湿度の上限値Ｄｙ以下の範囲、或いは、現在の内気温度値Ｙにおける絶対湿度の上限値Ｄｙより大きい範囲のいずれに属するかを判定する。
【０１６６】
そして、空調制御部１６３は、現在の外気絶対湿度値が、現在の内気温度値Ｙにおける絶対湿度の上限値Ｄｙより大きい範囲に属すると判定した場合、すなわち、外気絶対湿度値が現在の内気温度値Ｙにおける絶対湿度の上限値Ｄｙよりも大きい場合には、外調機３０の運転モードを除湿換気運転に決定し、現在の内気温度値Ｙにおける絶対湿度の上限値Ｄｙを絶対湿度目標値に決定する。この場合、制御信号が通信部１６１に送信されることで、空調機２０では送風運転が実行され、外調機３０では絶対湿度目標値を現在の内気温度値Ｙにおける絶対湿度の上限値Ｄｙとした除湿換気運転が実行される。この結果、除湿換気運転により判定時の外気絶対湿度よりも絶対湿度の低い空気（外気）が屋内に供給されるため、内気絶対湿度を快適湿度範囲内に導くことができる。これにより、屋内の環境を、目標温湿度範囲ＡＲ５内に導くことができる。
【０１６７】
一方、空調制御部１６３は、現在の外気絶対湿度が現在の内気温度値Ｙにおける絶対湿度の上限値Ｄｙ以下の範囲に属すると判定した場合、すなわち、外気絶対湿度値が現在の内気温度値Ｙにおける絶対湿度の上限値Ｄｙ以下である場合には、外調機３０の運転モードを換気運転に決定する。この場合、制御信号が通信部１６１に送信されることで、空調機２０では送風運転が実行され、外調機３０では換気運転が実行される。この結果、換気運転により判定時の内気絶対湿度よりも絶対湿度の低い空気（外気）が屋内に供給されるため、内気絶対湿度を快適湿度範囲内に導くことができる。これにより、屋内の環境を、目標温湿度範囲ＡＲ５内に導くことができる。
【０１６８】
また、現在の内気温度値及び現在の内気絶対湿度値が範囲ＡＲ４にある場合（図１０中のＰ４参照）、空調制御部１６３は、空調機２０の運転モードを冷房運転に決定し、上限温度値Ｂを温度目標値に決定する。
【０１６９】
さらに、空調制御部１６３は、現在の外気絶対湿度値と、下限絶対湿度値Ｃｂ及び上限絶対湿度値Ｄｂとを比較して、外気絶対湿度値が、下限絶対湿度値Ｃｂ未満の範囲、下限絶対湿度値Ｃｂから上限絶対湿度値Ｄｂまでの範囲、或いは、上限絶対湿度値Ｄｂより大きい範囲のいずれに属するかを判定する。
【０１７０】
そして、現在の外気絶対湿度値が下限絶対湿度値Ｃｂ未満の範囲に属する場合、すなわち、外気絶対湿度値が下限絶対湿度値Ｃｂよりも小さい場合には、空調制御部１６３は、外調機３０の運転モードを加湿換気運転に決定し、下限絶対湿度値Ｃｂを絶対湿度目標値に決定する。この場合、制御信号が通信部１６１に送信されることで、空調機２０では温度目標値を上限温度値Ｂとした冷房運転が実行され、外調機３０では絶対湿度目標値を下限絶対湿度値Ｃｂとした加湿換気運転が実行される。この結果、加湿換気運転により判定時の外気絶対湿度よりも絶対湿度の高い空気（外気）が屋内に供給されるため、内気絶対湿度を快適湿度範囲内で維持することができる。また、冷房運転により内気温度を下げることができるため、内気温度を快適温度範囲内に導くことができる。これにより、屋内の環境を、目標温湿度範囲ＡＲ５内に導くことができる。
【０１７１】
一方、現在の外気絶対湿度値が下限絶対湿度値Ｃｂから上限絶対湿度値Ｄｂまでの範囲に属する場合、すなわち、外気絶対湿度が下限絶対湿度値Ｃｂ以上でありかつ上限絶対湿度値Ｄｂ以下である場合には、空調制御部１６３は、外調機３０の運転モードを換気運転に決定する。この場合、制御信号が通信部１６１に送信されることで、空調機２０では温度目標値を上限温度値Ｂとした冷房運転が実行され、外調機３０では換気運転が実行される。この結果、換気運転により絶対湿度が下限絶対湿度値Ｃｂ以上でありかつ上限絶対湿度値Ｄｂ以下の空気（外気）が屋内に供給されるため、内気絶対湿度を快適湿度範囲内で維持することができる。また、冷房運転により内気温度を下げることができるため、内気温度を快適温度範囲内に導くことができる。これにより、屋内の環境を、目標温湿度範囲ＡＲ５内に導くことができる。
【０１７２】
他方、現在の外気絶対湿度値が上限絶対湿度値Ｄｂより大きい範囲に属する場合、すなわち、外気絶対湿度値が上限絶対湿度値Ｄｂよりも大きい場合には、空調制御部１６３は、外調機３０の運転モードを除湿換気運転に決定し、上限絶対湿度値Ｄｂを絶対湿度目標値に決定する。この場合、制御信号が通信部１６１に送信されることで、空調機２０では温度目標値を上限温度値Ｂとした冷房運転が実行され、外調機３０では絶対湿度目標値を上限絶対湿度値Ｄｂとした除湿換気運転が実行される。この結果、除湿換気運転により判定時の外気絶対湿度よりも絶対湿度の低い空気（外気）が屋内に供給されるため、内気絶対湿度を快適湿度範囲内で維持することができる。また、冷房運転により内気温度を下げることができるため、内気温度を快適温度範囲内に導くことができる。これにより、屋内の環境を、目標温湿度範囲ＡＲ５内に導くことができる。
【０１７３】
また、現在の内気温度値及び現在の内気絶対湿度値が範囲ＡＲ５にある場合（図１０中のＰ５参照）、空調制御部１６３は、空調機２０の運転モードを送風運転に決定する。
【０１７４】
さらに、空調制御部１６３は、現在の外気絶対湿度値と、現在の内気温度値Ｙにおける絶対湿度の上限値Ｄｙ及び現在の内気温度値Ｙにおける絶対湿度の下限値Ｃｙとを比較して、外気絶対湿度値が、現在の内気温度値Ｙにおける絶対湿度の下限値Ｃｙ未満の範囲、現在の内気温度値Ｙにおける絶対湿度の下限値Ｃｙから現在の内気温度値Ｙにおける絶対湿度の上限値Ｄｙまでの範囲、或いは、現在の内気温度値Ｙにおける絶対湿度の上限値Ｄｙより大きい範囲のいずれに属するかを判定する。
【０１７５】
そして、空調制御部１６３は、現在の外気絶対湿度値が現在の内気温度値Ｙにおける絶対湿度の下限値Ｃｙ未満の範囲に属する場合、すなわち、外気絶対湿度値が現在の内気温度値Ｙにおける絶対湿度の下限値Ｃｙよりも小さい場合には、外調機３０の運転モードを加湿換気運転に決定し、現在の内気温度値Ｙにおける絶対湿度の下限値Ｃｙを絶対湿度目標値に決定する。この場合、制御信号が通信部１６１に送信されることで、空調機２０では送風運転が実行され、外調機３０では絶対湿度目標値を現在の内気温度値Ｙにおける絶対湿度の下限値Ｃｙとした加湿換気運転が実行される。この結果、加湿換気運転により判定時の外気絶対湿度よりも絶対湿度の高い空気（外気）が屋内に供給されることで内気絶対湿度を下がり難くすることができるため、内気絶対湿度が快適湿度範囲内で維持されやすくなる。これにより、屋内の環境を、目標温湿度範囲ＡＲ５内に維持することができる。
【０１７６】
一方、現在の外気絶対湿度値が、現在の内気温度値Ｙにおける絶対湿度の下限値Ｃｙから現在の内気温度値Ｙにおける絶対湿度の上限値Ｄｙまでの範囲に属する場合、すなわち、外気絶対湿度が、現在の内気温度値Ｙにおける絶対湿度の下限値Ｃｙ以上であり、かつ現在の内気温度値Ｙにおける絶対湿度の上限値Ｄｙ以下である場合には、空調制御部１６３は、外調機３０の運転モードを換気運転に決定する。この場合、制御信号が通信部１６１に送信されることで、空調機２０では送風運転が実行され、外調機３０では換気運転が実行される。この結果、換気運転により絶対湿度が下限絶対湿度値Ｃｂ以上でありかつ上限絶対湿度値Ｄｂ以下の空気（外気）が屋内に供給されることで、内気絶対湿度が快適湿度範囲内で維持されやすくなる。これにより、屋内の環境を、目標温湿度範囲ＡＲ５内に維持することができる。
【０１７７】
他方、空調制御部１６３は、現在の外気絶対湿度値が、現在の内気温度値Ｙにおける絶対湿度の上限値Ｄｙより大きい範囲に属する場合、すなわち、外気絶対湿度値が現在の内気温度値Ｙにおける絶対湿度の上限値Ｄｙよりも大きい場合には、外調機３０の運転モードを除湿換気運転に決定し、現在の内気温度値Ｙにおける絶対湿度の上限値Ｄｙを絶対湿度目標値に決定する。この場合、制御信号が通信部１６１に送信されることで、空調機２０では送風運転が実行され、外調機３０では絶対湿度目標値を現在の内気温度値Ｙにおける絶対湿度の上限値Ｄｙとした除湿換気運転が実行される。この結果、除湿換気運転により判定時の外気絶対湿度よりも絶対湿度の低い空気（外気）が屋内に供給されることで、内気絶対湿度が快適湿度範囲内で維持されやすくなる。これにより、屋内の環境を、目標温湿度範囲ＡＲ５内に維持することができる。
【０１７８】
また、現在の内気温度値及び現在の内気絶対湿度値が範囲ＡＲ６にある場合（図１０中のＰ６参照）、空調制御部１６３は、空調機２０の運転モードを暖房運転に決定し、下限温度値Ａを温度目標値に決定する。
【０１７９】
さらに、空調制御部１６３は、現在の外気絶対湿度値と、下限絶対湿度値Ｃａ及び上限絶対湿度値Ｄａとを比較して、外気絶対湿度値が、下限絶対湿度値Ｃａ未満の範囲、下限絶対湿度値Ｃａから上限絶対湿度値Ｄａまでの範囲、或いは、上限絶対湿度値Ｄａより大きい範囲のいずれに属するかを判定する。
【０１８０】
そして、現在の外気絶対湿度値が下限絶対湿度値Ｃａ未満の範囲に属する場合、すなわち、外気絶対湿度値が下限絶対湿度値Ｃａよりも小さい場合には、空調制御部１６３は、外調機３０の運転モードを加湿換気運転に決定し、下限絶対湿度値Ｃａを絶対湿度目標値に決定する。この場合、制御信号が通信部１６１に送信されることで、空調機２０では温度目標値を下限温度値Ａとした暖房運転が実行され、外調機３０では絶対湿度目標値を下限絶対湿度値Ｃａとした加湿換気運転が実行される。この結果、加湿換気運転により判定時の外気絶対湿度よりも絶対湿度の高い空気（外気）が屋内に供給されるため、内気絶対湿度を快適湿度範囲内で維持することができる。また、暖房運転により内気温度を上げることができるため、内気温度を快適温度範囲内に導くことができる。これにより、屋内の環境を、目標温湿度範囲ＡＲ５内に導くことができる。
【０１８１】
一方、現在の外気絶対湿度値が、下限絶対湿度値Ｃａから上限絶対湿度値Ｄａまでの範囲に属する場合、すなわち、外気絶対湿度が下限絶対湿度値Ｃａ以上でありかつ上限絶対湿度値Ｄａ以下である場合には、空調制御部１６３は、外調機３０の運転モードを換気運転に決定する。この場合、制御信号が通信部１６１に送信されることで、空調機２０では温度目標値を下限温度値Ａとした暖房運転が実行され、外調機３０では換気運転が実行される。この結果、換気運転により絶対湿度が下限絶対湿度値Ｃａ以上でありかつ上限絶対湿度値Ｄａ以下の空気（外気）が屋内に供給されることで、内気絶対湿度が快適湿度範囲内で維持されやすくなる。また、暖房運転により内気温度を上げることができるため、内気温度を快適温度範囲内に導くことができる。これにより、屋内の環境を、目標温湿度範囲ＡＲ５内に導くことができる。
【０１８２】
他方、空調制御部１６３は、現在の外気絶対湿度値が上限絶対湿度値Ｄａより大きい範囲に属する場合、すなわち、外気絶対湿度値が上限絶対湿度値Ｄａよりも大きい場合には、外調機３０の運転モードを除湿換気運転に決定し、上限絶対湿度値Ｄａを絶対湿度目標値に決定する。この場合、制御信号が通信部１６１に送信されることで、空調機２０では温度目標値を下限温度値Ａとした暖房運転が実行され、外調機３０では絶対湿度目標値を上限絶対湿度値Ｄａとした除湿換気運転が実行される。この結果、除湿換気運転により判定時の外気絶対湿度よりも絶対湿度の低い空気（外気）が屋内に供給されることで、内気絶対湿度を快適湿度範囲内で維持することができる。また、暖房運転により内気温度を上げることができるため、内気温度を快適温度範囲内に導くことができる。これにより、屋内の環境を、目標温湿度範囲ＡＲ５内に導くことができる。
【０１８３】
また、現在の内気温度値及び現在の内気絶対湿度値が範囲ＡＲ８にある場合（図１０中のＰ８参照）、空調制御部１６３は、空調機２０の運転モードを送風運転に決定する。
【０１８４】
さらに、空調制御部１６３は、現在の外気絶対湿度値と、現在の内気温度値Ｙにおける絶対湿度の下限値Ｃｙとを比較して、外気絶対湿度値が、現在の内気温度値Ｙにおける絶対湿度の下限値Ｃｙ未満の範囲、或いは、現在の内気温度値Ｙにおける絶対湿度の下限値Ｃｙ以上の範囲のいずれに属するかを判定する。
【０１８５】
そして、現在の外気絶対湿度値が、現在の内気温度値Ｙにおける絶対湿度の下限値Ｃｙ未満の範囲、すなわち、外気絶対湿度値が現在の内気温度値Ｙにおける絶対湿度の下限値Ｃｙよりも小さい場合には、空調制御部１６３は、外調機３０の運転モードを加湿換気運転に決定し、現在の内気温度値Ｙにおける絶対湿度の下限値Ｃｙを絶対湿度目標値に決定する。この場合、制御信号が通信部１６１に送信されることで、空調機２０では送風運転が実行され、外調機３０では絶対湿度目標値を現在の内気温度値Ｙにおける絶対湿度の下限値Ｃｙとした加湿換気運転が実行される。この結果、加湿換気運転により判定時の外気絶対湿度よりも絶対湿度の高い空気（外気）が屋内に供給されるため、内気絶対湿度を快適湿度範囲内に導くことができる。これにより、屋内の環境を、目標温湿度範囲ＡＲ５内に導くことができる。
【０１８６】
一方、空調制御部１６３は、現在の外気絶対湿度値が現在の内気温度値Ｙにおける絶対湿度の下限値Ｃｙ以上の範囲に属する場合、すなわち、外気絶対湿度値が現在の内気温度値Ｙにおける絶対湿度の下限値Ｃｙ以上である場合には、外調機３０の運転モードを換気運転に決定する。この場合、制御信号が通信部１６１に送信されることで、空調機２０では送風運転が実行され、外調機３０では換気運転が実行される。この結果、換気運転により判定時の内気絶対湿度よりも絶対湿度の高い空気（外気）が屋内に供給されるため、内気絶対湿度を快適湿度範囲内に導くことができる。これにより、屋内の環境を、目標温湿度範囲ＡＲ５内に導くことができる。
【０１８７】
また、現在の内気温度値及び現在の内気絶対湿度値が範囲ＡＲ９にある場合（図１０中のＰ９参照）、空調制御部１６３は、空調機２０の運転モードを冷房運転に決定し、上限温度値Ｂを温度目標値に決定する。
【０１８８】
さらに、空調制御部１６３は、現在の外気絶対湿度値と下限絶対湿度値Ｃｂとを比較して、外気絶対湿度値が、下限絶対湿度値Ｃｂ未満の範囲、或いは、下限絶対湿度値Ｃｂ以上の範囲のいずれに属するかを判定する。
【０１８９】
そして、現在の外気絶対湿度値が下限絶対湿度値Ｃｂ未満の範囲、すなわち、外気絶対湿度値が下限絶対湿度値Ｃｂよりも小さい場合には、空調制御部１６３は、外調機３０の運転モードを加湿換気運転に決定し、下限絶対湿度値Ｃｂを絶対湿度目標値に決定する。この場合、制御信号が通信部１６１に送信されることで、空調機２０では温度目標値を上限温度値Ｂとした冷房運転が実行され、外調機３０では絶対湿度目標値を下限絶対湿度値Ｃｂとした加湿換気運転が実行される。この結果、加湿換気運転により判定時の外気絶対湿度よりも絶対湿度の高い空気（外気）が屋内に供給されるため、内気絶対湿度を快適湿度範囲内に導くことができる。また、冷房運転により内気温度を下げることができるため、内気温度を快適温度範囲内に導くことができる。これにより、屋内の環境を、目標温湿度範囲ＡＲ５内に導くことができる。
【０１９０】
一方、空調制御部１６３は、現在の外気絶対湿度値が下限絶対湿度値Ｃｂ以上の範囲に属する場合、すなわち、外気絶対湿度値が下限絶対湿度値Ｃｂ以上である場合には、外調機３０の運転モードを換気運転に決定する。この場合、制御信号が通信部１６１に送信されることで、空調機２０では温度目標値を上限温度値Ｂとした冷房運転が実行され、外調機３０では換気運転が実行される。この結果、換気運転により判定時の内気絶対湿度よりも絶対湿度の高い空気（外気）が屋内に供給されるため、内気絶対湿度を快適湿度範囲内に導くことができる。また、冷房運転により内気温度を下げることができるため、内気温度を快適温度範囲内に導くことができる。これにより、屋内の環境を、目標温湿度範囲ＡＲ５内に導くことができる。
【０１９１】
このように、現在の内気温度値及び現在の内気絶対湿度値が、範囲ＡＲ１、ＡＲ２、ＡＲ４、ＡＲ５、ＡＲ６、ＡＲ８、ＡＲ９のいずれかにある場合には、外気絶対湿度値に基づいて外調機３０の運転モードが決定されることで、室内空間の環境を目標温湿度範囲ＡＲ５内に導きやすくすることができる。
【０１９２】
これによって、ユーザの快適性が損なわれるおそれを低減することができる。
【産業上の利用可能性】
【０１９３】
本発明の空調制御装置は、換気が行われてもユーザの快適性が損なわれないように空調機を制御することができるため、換気が常に行われている建物に設置される空調機への適用が有効である。
【符号の説明】
【０１９４】
２０        空調機（第２空調機）
２５        室内制御部（温度調整部）
２９        室外制御部（温度調整部）
３０        外調機（第１空調機）
３９        外調機制御部（湿度調整部／換気部）
６０        空調制御装置
６３，１６３  空調制御部
６６，１６６  特定部（現在温度特定部／現在湿度特定部）
【先行技術文献】
【特許文献】
【０１９５】
【特許文献１】特開２００５−４９０５９号公報
【図１】
2012083086.tif 000003
【図２】
2012083086.tif 000004
【図３】
2012083086.tif 000005
【図４】
2012083086.tif 000006
【図５】
2012083086.tif 000007
【図６】
2012083086.tif 000008
【図７】
2012083086.tif 000009
【図８】
2012083086.tif 000010
【図９】
2012083086.tif 000011
【図１０】
2012083086.tif 000012
【図１１】
2012083086.tif 000013
【図１２】
2012083086.tif 000014
【図１３】
2012083086.tif 000015